(57)【要約】【課題】多数の段階で光の透過性を変更することができるコンパクトなＮＤフィルタユニットを提供する。【解決手段】ＮＤフィルタユニット１は、第１及び第２の光学フィルタ部４２Ａ、１０２Ａが光路を遮る遮断位置、及び、第１及び第２の光学フィルタ部４２Ａ、１０２Ａが光路から退避した退避位置の間で移動可能な第１及び第２のフィルタ部材４、１０を備え、第１及び第２のフィルタ部材４、１０が退避位置に移動した非減光状態と、第１及び第２のフィルタ部材４、１０のうちの一つが遮断位置に移動し、残りが退避位置に移動した一重減光状態と、第１及び第２のフィルタ部材４、１０が遮断位置に移動した二重減光状態と、をとることにより減光状態を切り替える。【選択図】図３
2020134802.tif 000002
【特許請求の範囲】
【請求項１】
光路を通る光を減光するＮＤフィルタユニットであって、
それぞれ、所定の光透過性を有する光学フィルタ部を有し、前記光学フィルタ部が前記光路を遮る遮断位置、及び、前記光学フィルタ部が前記光路から退避した退避位置の間で移動可能な複数のフィルタ部材を備え、
複数の前記フィルタ部材の全てが退避位置に移動した非減光状態と、
複数の前記フィルタ部材のうちの一つのフィルタ部材が遮断位置に移動し、他のフィルタ部材が退避位置に移動した一重減光状態と、
複数の前記フィルタ部材のうちの二つ以上のフィルタ部材が遮断位置に移動し、他のフィルタ部材が退避位置に移動した多重減光状態と、を順不同に切り替えることにより減光状態を切り替えることを特徴とする、ＮＤフィルタユニット。
【請求項２】
前記フィルタ部材に隣接するようにセパレータが配置され、
前記セパレータには、隣接する前記フィルタ部材の有する前記光学フィルタ部が前記遮断位置と前記退避位置との間で移動する移動軌跡に対応する部分に開口部が形成されている、
請求項１に記載のＮＤフィルタユニット。
【請求項３】
複数の前記フィルタ部材のうち隣接して配置される一対フィルタ部材の間に、一方のフィルタ部材に隣接するように配置される一方のセパレータと、他方のフィルタ部材に隣接するように配置される他方のセパレータと、が配置され、
前記一方のセパレータには、前記一方のフィルタ部材の有する前記光学フィルタ部の移動軌跡に対応する部分に前記開口部が形成され、
前記他方のセパレータには、前記他方のフィルタ部材の有する前記光学フィルタ部の移動軌跡に対応する部分に前記開口部が形成されている、
請求項２に記載のＮＤフィルタユニット。
【請求項４】
前記フィルタ部材の各々は、前記光学フィルタ部を移動させる基点を含む基部と、前記光学フィルタ部を挟んで基部と異なる側に突出した突出部と、を有し、
前記突出部は、隣接するように配置された前記セパレータに当接している、
請求項２又は３に記載のＮＤフィルタユニット。
【請求項５】
複数の前記フィルタ部材を挟むように配置される第１の基板と第２の基板とを更に備え、
前記フィルタ部材は、前記光学フィルタ部を移動させる基点となる基部と、前記光学フィルタ部を挟んで基部と異なる側に突出した突出部と、を有し、
前記第１の基板及び第２の基板の少なくとも一方には、隣接するように配置される前記フィルタ部材の移動に伴う前記突出部の移動軌跡に沿って第１の凸部が形成されており、
前記突出部は前記第１の凸部に当接している、
請求項１〜４の何れか１項に記載のＮＤフィルタユニット。
【請求項６】
前記第１の基板及び第２の基板の少なくとも一方には、隣接するように配置される前記フィルタ部材の移動に伴う前記基部の移動軌跡に沿って第２の凸部が形成されており、
前記基部は前記第２の凸部に当接している、
請求項５に記載のＮＤフィルタユニット。
【請求項７】
複数の前記フィルタ部材の有する各光学フィルタ部の移動軌跡が、光軸に垂直な平面に投影した場合に、各々異なる、
請求項１〜６の何れか１項に記載のＮＤフィルタユニット。
【請求項８】
複数の前記フィルタ部材を個別に駆動する複数の駆動機構を備え、
前記駆動機構は、前記フィルタ部材を光軸に垂直な面内で移動させることにより前記光学フィルタ部を移動させる、
請求項１〜７の何れか１項に記載のＮＤフィルタユニット。
【請求項９】
前記複数のフィルタ部材のそれぞれは、全領域が樹脂製の板材から形成されている、
請求項１〜８の何れか１項に記載のＮＤフィルタユニット。
【請求項１０】
請求項１〜９の何れか１項に記載のＮＤフィルタユニットを備えたレンズ鏡筒。
【請求項１１】
請求項１〜９の何れか１項に記載のＮＤフィルタユニットを備えた撮像装置。
【発明の詳細な説明】
【技術分野】
【０００１】
本発明は、光路を通る光を減光するＮＤフィルタユニット、ＮＤフィルタユニットを備えたレンズ鏡筒、及び、ＮＤフィルタユニットを備えた撮像装置に関する。
【背景技術】
【０００２】
従来より、撮像装置には、シャッター速度を遅くした場合に露出オーバーにならないように、ＮＤフィルタユニットが設けられている。ＮＤフィルタユニットは、入射光が通る光路を遮るように光学フィルタを配置することにより、入射光を減光することができる。
【０００３】
このようなＮＤフィルタユニットとして、例えば、特許文献１には、円形のＮＤプレートに複数の光透過性の異なるＮＤフィルタを同円上に配置し、ＮＤプレートを回転させることにより、光透過性を切り替えることができるＮＤフィルタユニットが開示されている。
【０００４】
また、例えば、特許文献２、３には、各々異なる光透過性を有するフィルタを有するフィルタ枠を回動可能に設けておき、必要な光透過性に応じて、対応するフィルタ枠を回動させて、光透過性を切り替えることができるＮＤフィルタユニットが開示されている。
【先行技術文献】
【特許文献】
【０００５】
【特許文献１】特開２０１６−４５２６４号公報
【特許文献２】特開２０００−３０５１５０号公報
【特許文献３】特開２０１４−４４３０８号公報
【発明の概要】
【発明が解決しようとする課題】
【０００６】
しかしながら、特許文献１〜３に記載されＮＤフィルタでは、フィルタの枚数と同じ数のパターンだけしか透過率を変更することはできない。このため、多数の段階で光の透過性を変更するためには、各段階に応じて多数のＮＤフィルタを設ける必要があり、ＮＤフィルタユニットが大型になってしまう。
【０００７】
本発明は、上記の問題に鑑みなされたものであり、多数の段階で光の透過性を任意に変更することができるコンパクトなＮＤフィルタユニットを提供することである。
【課題を解決するための手段】
【０００８】
本発明は、光路を通る光を減光するＮＤフィルタユニットであって、それぞれ、所定の光透過性を有する光学フィルタ部を有し、光学フィルタ部が光路を遮る遮断位置、及び、光学フィルタ部が光路から退避した退避位置の間で移動可能な複数のフィルタ部材を備え、複数のフィルタ部材の全てが退避位置に移動した非減光状態と、複数のフィルタ部材のうちの一つのフィルタ部材が遮断位置に移動し、他のフィルタ部材が退避位置に移動した一重減光状態と、複数のフィルタ部材のうちの二つ以上のフィルタ部材が遮断位置に移動し、他のフィルタ部材が退避位置に移動した多重減光状態と、を順不同に切り替えることにより減光状態を切り替えることを特徴とする。
【０００９】
上記構成の本発明によれば、複数のフィルタ部材を移動させることにより、非減光状態、一重減光状態、及び、多重減光状態をとることにより減光状態を切り替えており、フィルタ部材の数よりも多くの段階で減光状態を切り替えることができる。このため、本発明によれば、少ない数のフィルタ部材で光透過性を多数の段階で変更することが実現できるコンパクトなＮＤフィルタユニットが実現できる。また、非減光状態と一重減光状態と多重減光状態とを順不同に切り替えることができるため、非減光状態から多重減光状態へ、一重減光状態から非減光状態へ、など、ある段階の減光状態から任意の段階の減光状態に容易に切り替えることができる。このため、撮影に必要な減光状態への切替を素早く行うことができ、撮影に最適な減光状態を素早く実現することができる。
【００１０】
本発明において、好ましくは、フィルタ部材に隣接するようにセパレータが配置され、セパレータには、隣接するフィルタ部材の有する光学フィルタ部が遮断位置と退避位置との間で移動する移動軌跡に対応する部分に開口部が形成されている。
【００１１】
上記構成の本発明によれば、セパレータの光学フィルタ部の移動軌跡に対応する部分に開口部が形成されているため、フィルタ部材が遮断位置と退避位置との間で移動しても、光学フィルタ部が傷つくのを防止できる。
【００１２】
本発明において、好ましくは、複数のフィルタ部材のうち隣接して配置される一対フィルタ部材の間に、一方のフィルタ部材に隣接するように配置される一方のセパレータと、他方のフィルタ部材に隣接するように配置される他方のセパレータと、が配置され、一方のセパレータには、一方のフィルタ部材の有する光学フィルタ部の移動軌跡に対応する部分に開口部が形成され、他方のセパレータには、他方のフィルタ部材の有する光学フィルタ部の移動軌跡に対応する部分に開口部が形成されている。
【００１３】
上記構成の本発明によれば、一方及び他方のフィルタ部材が遮断位置と退避位置との間で移動しても、光学フィルタ部が傷つくのを防止できる。また、一方のセパレータには一方のフィルタ部材の、他方のセパレータには他方のフィルタ部材の、光学フィルタ部の移動軌跡に対応する部分に開口部が形成されているため、一方のフィルタ部材と他方のフィルタ部材とが同時に移動する場合でも、双方のフィルタ部材の光学フィルタ部が擦れてたりして傷がつくことをより効果的に防止することができる。
【００１４】
本発明において、好ましくは、フィルタ部材の各々は、光学フィルタ部を移動させる基点を含む基部と、光学フィルタ部を挟んで基部と異なる側に突出した突出部と、を有し、突出部は、隣接するように配置されたセパレータに当接している。
【００１５】
上記構成の本発明によれば、突出部がセパレータに当接しているため、フィルタ部材がセパレータの開口部に潜りこむことを防止でき、フィルタ部材の駆動をスムーズにすることができる。
【００１６】
本発明において、好ましくは、複数のフィルタ部材を挟むように配置される第１の基板と第２の基板とを更に備え、フィルタ部材は、光学フィルタ部を移動させる基点となる基部と、光学フィルタ部を挟んで基部と異なる側に突出した突出部と、を有し、第１の基板及び第２の基板の少なくとも一方には、隣接するように配置されるフィルタ部材の移動に伴う突出部の移動軌跡に沿って第１の凸部が形成されており、突出部は第１の凸部に当接している。
【００１７】
上記構成の本発明によれば、フィルタ部材の移動に伴う突出部の移動軌跡に沿って第１の凸部が形成されているため、光学フィルタ部が基板に擦れて傷つくことを防止できる。
【００１８】
本発明において、好ましくは、第１の基板及び第２の基板の少なくとも一方には、隣接するように配置されるフィルタ部材の移動に伴う基部の移動軌跡に沿って第２の凸部が形成されており、基部は第２の凸部に当接している。
【００１９】
上記構成の本発明によれば、フィルタ部材の移動に伴う基部の移動軌跡に沿って第２の凸部が形成されているため、光学フィルタ部が基板に擦れて傷つくことを防止できる。
【００２０】
本発明において、好ましくは、複数のフィルタ部材の有する各光学フィルタ部の移動軌跡が、光軸に垂直な平面に投影した場合に、各々異なる。
【００２１】
上記構成の本発明によれば、各フィルタ部材を駆動させるための機構を効率よく配置でき、ＮＤフィルタユニットを小型化することができる。
【００２２】
本発明において、好ましくは、複数のフィルタ部材を個別に駆動する複数の駆動機構を備え、駆動機構は、フィルタ部材を光軸に垂直な面内で移動させることにより光学フィルタ部を移動させる。
【００２３】
上記構成の本発明によれば、各フィルタ部材を個別に駆動することができるため、瞬時に減光状態を変更することができる。
【００２４】
本発明において、好ましくは、複数のフィルタ部材のそれぞれは、全領域が樹脂製の板材から形成されている。
【００２５】
上記構成の本発明によれば、フィルタ部材が枠材を有していないため、軽量に形成することができ、フィルタ部材を駆動する機構を小型化することができる。
【００２６】
本発明のレンズ鏡筒は、上記のＮＤフィルタユニットを備える。
本発明の撮像装置は、上記のＮＤフィルタユニットを備える。
【発明の効果】
【００２７】
本発明によれば、多数の段階で光の透過性を任意に変更することができるコンパクトなＮＤフィルタユニットを提供することができる。
【図面の簡単な説明】
【００２８】
【図１】本発明の第１実施形態によるＮＤフィルタユニットを示すは第１の基板側から見た斜視図である。
【図２】本発明の第１実施形態によるＮＤフィルタユニットを示す第２の基板側から見た斜視図である。
【図３】本発明の第１実施形態によるＮＤフィルタユニットを示す第１の基板側から見た分解斜視図である。
【図４】本発明の第１実施形態によるＮＤフィルタユニットを示す第２の基板側から見た分解斜視図である。
【図５】本発明の第１実施形態によるＮＤフィルタユニットを示す第１の基板側から見た平面である。
【図６】本発明の第１実施形態によるＮＤフィルタユニットを示す第２の基板側から見た平面図である。
【図７】図６におけるＡ−Ａ断面図である。
【図８】図６におけるＢ−Ｂ断面図である。
【図９】第１実施形態における第１及び第２の回転マグネット部材を示す斜視図である。
【図１０】本発明の第２実施形態によるＮＤフィルタユニットを示す第１の基板側から見た斜視図である。
【図１１】本発明の第２実施形態によるＮＤフィルタユニットを示す第２の基板側から見た斜視図である。
【図１２】本発明の第２実施形態によるＮＤフィルタユニットを示す第１の基板側から見た分解斜視図である。
【図１３】本発明の第２実施形態によるＮＤフィルタユニットを示す第２の基板側から見た分解斜視図である。
【図１４】第２実施形態における第１〜第３の回転マグネット部材を示す斜視図である。
【発明を実施するための形態】
【００２９】
＜第１実施形態＞
以下、本発明の第１実施形態によるＮＤフィルタユニットについて図面を参照しながら説明する。
図１及び図２は、本発明の第１実施形態によるＮＤフィルタユニットを示す斜視図であり、図１は第１の基板側から見た斜視図であり、図２は第２の基板側から見た斜視図である。また、図３及び図４は、本発明の第１実施形態によるＮＤフィルタユニットを示す分解斜視図であり、図３は第１の基板側から見た分解斜視図であり、図４は第２の基板側から見た分解斜視図である。また、図５及び図６は、本発明の第１実施形態によるＮＤフィルタユニットを示す平面であり、図５は第１の基板側から見た平面であり、図６は第２の基板側から見た平面図である。図７は、図６におけるＡ−Ａ断面図であり、図８は、図６におけるＢ−Ｂ断面図である。なお、フレキシブルプリント基板については、図３及び図４のみで示し、その他の図では省略している。
【００３０】
第１実施形態によるＮＤフィルタユニットはカメラなどの撮像装置のレンズ鏡筒内に配置され、シャッター速度を遅くした場合に露出オーバーにならないように減光するためのものである。図１〜図８に示すように、ＮＤフィルタユニット１は、第１の基板２と、第１のフィルタ部材４と、第１のセパレータ６と、第２のセパレータ８と、第２のフィルタ部材１０と、第２の基板１２と、第１のフィルタ駆動機構１４と、第２のフィルタ駆動機構１６と、フレキシブルプリント基板１８と、を備える。隣接して配置される第１のフィルタ部材４と、第２のフィルタ部材１０との間に、第１のセパレータ６及び第２のセパレータ８が配置されている。第１のセパレータ６は第１のフィルタ部材４に隣接しており、第２のセパレータ８は第２のフィルタ部材１０に隣接している。
【００３１】
第１の基板２は、板状に形成された部材からなり、光路に当たる部分に円形の中心開口部２０が形成されている。また、第１の基板２の外周縁には周縁壁２Ａが立設されている。第１の基板２の上方には、円形断面の第１の丸孔２１Ａが形成されており、第１の丸孔２１Ａの横方向外側には円弧状の第１の円弧状孔２２Ａが形成されている。第１の基板２の第１のフィルタ部材４側の面の上部には円柱状の第１の軸柱２３Ａが立設されている。第１の軸柱２３Ａは、第１の軸柱２３Ａと第１の丸孔２１Ａとの間に第１の円弧状孔２２Ａが横方向に並ぶように配置されている。
【００３２】
また、第１の基板２の一側には、円形断面の第２の丸孔２１Ｂが形成されており、第２の丸孔２１Ｂの下方には円弧状の第２の円弧状孔２２Ｂが形成されている。第１の基板２の第１のフィルタ部材４側の面の側部には、円柱状の第２の軸柱２３Ｂが立設されている。第２の軸柱２３Ｂは、第２の軸柱２３Ｂと第２の丸孔２１Ｂとの間に第２の円弧状孔２２Ｂが上下方向に並ぶように配置されている。
【００３３】
第１の基板２の第１のフィルタ部材４側の面には、第１の軸柱２３Ａを中心とした同心円弧状の内側凸部（第２の凸部）２４Ａ、２４Ｂ及び外側凸部（第１の凸部）２４Ｃが形成されている。内側凸部２４Ｂ及び外側凸部２４Ｃは中心開口部２０を挟むように配置されている。これら内側凸部２４Ａ、２４Ｂは、後述するように、第１のフィルタ部材４の第１の光学フィルタ部４２Ａの移動の軌跡に対応する領域の半径方向内側の側部に位置している。外側凸部２４Ｃは、第１のフィルタ部材４の第１の光学フィルタ部４２Ａの移動の軌跡に対応する領域の半径方向外側の側部に位置している。外側凸部２４Ｃは、第１の基板２に隣接して配置される第１のフィルタ部材４の突出部４２Ｂの移動に伴う軌跡に沿って形成されている。また、内側凸部２４Ａ、２４Ｂは、第１の基板２に隣接して配置される第１のフィルタ部材４の基部４１の移動に伴う軌跡に沿って形成されている。また、第１の基板２の第１のフィルタ部材４側の面には、第１のフィルタ部材４と干渉しないような位置に、第１のセパレータ６との距離を一定に保つための補助リブ２５が形成されている。また、第１の基板２には、複数の取付機構２６が形成されている。また、第１の基板２の第１のフィルタ部材４側の面には、複数の固定柱２７が立設されている。
【００３４】
第１のフィルタ部材４は、基部４１と、基部４１の先端に形成された円形部４２とを備え、両面が平坦な板状に形成されている。第１のフィルタ部材４は、全領域が第１の光透過性を有する樹脂により形成されている。すなわち、第１のフィルタ部材４はフィルタを保持するための保持枠を有していない。このような樹脂としては、例えば、ポリエチレンナフタレートなどを用いることができる。基部の端部には、円形の第１の円形孔４１Ａと、第１の円形孔４１Ａの側方に形成された第１の長孔４１Ｂとが形成されている。円形部４２の中心から所定の半径の円の内側領域がＮＤフィルタとして光学的に利用される第１の光学フィルタ部４２Ａとして機能する。また、第１のフィルタ部材４は、第１の光学フィルタ部４２Ａを挟んで基部４１と異なる側に突出する突出部４２Ｂを有する。
【００３５】
第１のセパレータ６は、両面が平坦な板状に形成された樹脂材からなる。第１のセパレータ６には、第１のフィルタ部材４の第１の光学フィルタ部４２Ａの移動の軌跡に対応する領域に第１の開口６４が形成されている。また、第１のセパレータ６の上方には、円形断面の第１の円形孔６１Ａが形成されており、第１の円形孔６１Ａの横方向中心側には円弧状の第１の円弧状孔６１Ｂが形成されている。第１の円形孔６１Ａ及び第１の円弧状孔６１Ｂは、それぞれ、第１のセパレータ６における、第１の基板２の第１の軸柱２３Ａ及び第１の円弧状孔２２Ａに相当する領域に形成されている。第１のセパレータ６の一側には、円形断面の第２の円形孔６３Ａが形成されており、第２の円形孔６３Ａの上方には円弧状の第２の円弧状孔６３Ｂが形成されている。第２の円形孔６３Ａ及び第２の円弧状孔６３Ｂは、それぞれ、第１のセパレータ６における、第１の基板２の第２の軸柱２３Ｂ及び第２の円弧状孔２２Ｂに相当する領域に形成されている。なお、第１のセパレータ６における、第１の基板２の複数の固定柱２７に当たる部分は外周又は開口が切り欠かれており、この切り欠き部が組み立て状態で固定柱２７と当接する。なお、第１のセパレータ６に形成された第１の開口６４の幅（移動軌跡に垂直方向の幅）は、ＮＤフィルタユニット１に入射する入射光の光路の直径よりも大きく、第１のフィルタ部材４の円形部４２の直径よりも小さくするとよい。これにより、第１のフィルタ部材４が第１のセパレータ６の第１の開口６４に入り込むのを防止できる。
【００３６】
第２のセパレータ８は、両面が平坦な板状に形成された樹脂材からなる。第２のセパレータ８には、第２のフィルタ部材１０の第２の光学フィルタ部１０２Ａの移動の軌跡に対応する領域に第２の開口８４が形成されている。また、第２のセパレータ８の上方には、円形断面の第１の円形孔８１Ａが形成されており、第１の円形孔８１Ａの側方には円弧状の第１の円弧状孔８１Ｂが形成されている。第１の円形孔８１Ａ及び第１の円弧状孔８１Ｂは、それぞれ、第２のセパレータ８における、第１の基板２の第１の軸柱２３Ａ及び第１の円弧状孔２２Ａに相当する領域に形成されている。第２のセパレータ８の一側には、円形断面の第２の円形孔８３Ａが形成されており、第２の円形孔８３Ａの上方には円弧状の第２の円弧状孔８３Ｂが形成されている。第２の円形孔８３Ａ及び第２の円弧状孔８３Ｂは、それぞれ、第２のセパレータ８における、第１の基板２の第２の軸柱２３Ｂ及び第２の円弧状孔２２Ｂに相当する領域に形成されている。なお、第２のセパレータ８において、第１の基板２の複数の固定柱２７に当たる部分は外周又は開口が切り欠かれており、この切り欠き部が組み立て状態で固定柱２７と当接する。なお、第２のセパレータ８に形成された第２の開口８４の幅（移動軌跡に垂直方向の幅）は、ＮＤフィルタユニット１に入射する入射光の光路の直径よりも大きく、第２のフィルタ部材１０の円形部１０２の直径よりも小さくするとよい。これにより、第２のフィルタ部材１０が第２のセパレータ８の第２の開口８４に入り込むのを防止できる。
【００３７】
第２のフィルタ部材１０は、基部１０３と、基部１０３の先端に形成された円形部１０２とを備え、両面が平坦な板状に形成されている。第２のフィルタ部材１０は、全領域が第２の光透過性を有する樹脂により形成されている。すなわち、第２のフィルタ部材１０はフィルタを保持するための保持枠を有していない。このような樹脂としては、例えば、ポリエチレンナフタレートなどを用いることができる。基部１０３には、円形の第２の円形孔１０３Ａと、第２の円形孔１０３Ａの上方に形成された第２の長孔１０３Ｂとが形成されている。円形部１０２の中心から所定の半径の領域がＮＤフィルタとして光学的に利用される第２の光学フィルタ部１０２Ａとして機能する。また、第２のフィルタ部材１０は、第２の光学フィルタ部１０２Ａを挟んで基部１０３と異なる側に突出する突出部１０２Ｂを有する。
【００３８】
第２の基板１２は、板状に形成された部材からなり、光路に当たる部分に円形の中心開口部１２０が形成されている。第２の基板１２の上方には、円形断面の第１の円形孔１２１Ａが形成されており、第１の円形孔１２１Ａの側方には円弧状の第１の円弧状孔１２１Ｂが形成されている。第１の円形孔１２１Ａ及び第１の円弧状孔１２１Ｂは、それぞれ、第２の基板１２における、第１の基板２の第１の軸柱２３Ａ及び第１の円弧状孔２２Ａに相当する領域に形成されている。
【００３９】
また、第２の基板１２の一側には、円形断面の第２の円形孔１２３Ａが形成されており、第２の円形孔１２３Ａの上方には円弧状の第２の円弧状孔１２３Ｂが形成されている。第２の円形孔１２３Ａ及び第２の円弧状孔１２３Ｂは、それぞれ、第２の基板１２における、第１の基板２の第２の軸柱２３Ｂ及び第２の円弧状孔２２Ｂに相当する領域に形成されている。第２の基板１２の第２のフィルタ部材１０側の面には、第２の円形孔１２３Ａを中心とした同心円弧状の内側凸部（第２の凸部）１２４Ａ、及び、外側凸部（第１の凸部）１２４Ｂ、１２４Ｃが形成されている。内側凸部１２４Ａ及び外側凸部１２４Ｂは中心開口部１２０を挟むように配置されている。これら内側凸部１２４Ａは、後述するように、第２のフィルタ部材１０の第２の光学フィルタ部１０２Ａの移動の軌跡に対応する領域の半径方向内側の側部に位置している。また、外側凸部１２４Ｂ、１２４Ｃは、第２のフィルタ部材１０の第２の光学フィルタ部１０２Ａの移動の軌跡に対応する領域の半径方向外側の側部に位置している。外側凸部１２４Ｂ、１２４Ｃは、第２の基板１２に隣接して配置される第２のフィルタ部材１０の突出部１０２Ｂの移動に伴う軌跡に沿って形成されている。また、内側凸部１２４Ａは、第２の基板１２に隣接して配置される第２のフィルタ部材１０の基部１０３の移動に伴う軌跡に沿って形成されている。また、第２の基板１２の第２のフィルタ部材１０側の面には、第２のフィルタ部材１０と干渉しないような位置に、第２のセパレータ８との距離を一定に保つための補助リブ１２５が形成されている。また、第２の基板１２には、複数の取付機構１２６が形成されている。また、第２の基板１２における、第１の基板２の複数の固定柱２７に当たる位置には固定用開口１２７が形成されている。
【００４０】
組み立て状態では、第１の基板２の周縁壁２Ａの縁に第２の基板１２を当接させ、第１の基板２の取付機構２６が、それぞれ、第２の基板１２の取付機構１２６と嵌合し、第１の基板２の固定柱２７が、第２の基板１２の固定用開口１２７に入り込むことにより、第１の基板２と第２の基板１２とが固定されている。第１の基板２及び第２の基板１２は、第１のフィルタ部材４及び第２のフィルタ部材１０を挟み込むように配置され、第１のフィルタ部材４及び第２のフィルタ部材１０の間に第１のセパレータ６及び第２のセパレータ８が挟み込まれる。
【００４１】
また、第１のセパレータ６は、第１のフィルタ部材４側の面が第１の基板２の補助リブ２５と当接し、反対側の面が第２のセパレータ８と当接し、外周及び開口に形成された切り欠き部に第１の基板２の複数の固定柱２７が当接することにより、固定されている。
【００４２】
また、第２のセパレータ８は、第２のフィルタ部材１０側の面が第２の基板１２の補助リブ１２５と当接し、反対側の面が第１のセパレータ６と当接し、外周及び開口に形成された切り欠き部に第１の基板２の複数の固定柱２７が当接することにより、固定されている。
【００４３】
第１のフィルタ部材４は、第１の基板２及び第１のセパレータ６と隣接し、これら第１の基板２及び第１のセパレータ６に挟まれるように配置されている。また、第１のフィルタ部材４の一面は第１のセパレータ６の一面と当接している。第１のフィルタ部材４の突出部４２Ｂは第１のセパレータ６の表面に当接している。第１の基板２の第１の軸柱２３Ａは、第１のフィルタ部材４の第１の円形孔４１Ａ、第１のセパレータ６の第１の円形孔６１Ａ、及び第２のセパレータ８の第１の円形孔８１Ａを貫通して、第２の基板１２の第１の円形孔１２１Ａに入り込んでいる。これにより、第１のフィルタ部材４は、第１の軸柱２３Ａを中心に、第１の光学フィルタ部４２Ａが光路を遮る遮断位置（第１の光学フィルタ部４２Ａが第１の基板２の中心開口部２０と整列する位置）と、第１の光学フィルタ部４２Ａが光路から退避した退避位置（第１の光学フィルタ部４２Ａが側方に移動した位置）との間で回動可能に支持されている。
【００４４】
第２のフィルタ部材１０は、第２の基板１２及び第２のセパレータ８と隣接し、これら第２の基板１２及び第２のセパレータ８に挟まれるように配置されている。また、第２のフィルタ部材１０の一面は第２のセパレータ８の一面と当接している。第２のフィルタ部材１０の突出部１０２Ｂは第２のセパレータ８の表面に当接している。第１の基板２の第２の軸柱２３Ｂは、第１のセパレータ６の第２の円形孔６３Ａ、第２のセパレータ８の第２の円形孔８３Ａ、及び、第２のフィルタ部材１０の第２の円形孔１０３Ａを貫通して、第２の基板１２の第２の円形孔１２３Ａに入り込んでいる。これにより、第２のフィルタ部材１０は、第２の軸柱２３Ｂを中心に、第２の光学フィルタ部１０２Ａが光路を遮る遮断位置（第２の光学フィルタ部１０２Ａが第２の基板１２の中心開口部１２０と整列する位置）と第２の光学フィルタ部１０２Ａが光路から退避した退避位置（第２の光学フィルタ部１０２Ａが側方に移動した位置）との間で回動可能に支持されている。
【００４５】
第１のフィルタ駆動機構１４は、第１のヨーク１４０と、第１のヨーク１４０に取り付けられた第１のコイル１４１と、第１の回転マグネット部材１４２と、第１のカバー部材１４３とを備える。第１のヨーク１４０は、コの字形に形成されており、第１のコイル１４１は第１のヨーク１４０に巻き付けられている。第１のコイルに通電することにより、第１のヨーク１４０の先端部１４０Ａの間に磁界を生じる。
【００４６】
図９は、第１実施形態における第１及び第２の回転マグネット部材を示す斜視図である。第１の回転マグネット部材１４２は、円柱状の第１の軸部１４２Ａと、第１の軸部１４２Ａから側方に延びるように形成された第１の腕部１４２Ｂと、第１の腕部１４２Ｂから第１の基板２に向かって立設された円柱状の第１の操作柱１４２Ｃと、第１の軸部１４２Ａの外周に設けられた第１の磁石１４２Ｄと、を備える。また、第１のカバー部材１４３は、第１の基板２に取り付けるための固定部１４３Ａを有し、また、第１の丸孔１４３Ｂが形成されている。
【００４７】
第２のフィルタ駆動機構１６は、第２のヨーク１６０と、第２のヨーク１６０に取り付けられた第２のコイル１６１と、第２の回転マグネット部材１６２と、第２のカバー部材１６３とを備える。第２のヨーク１６０は、コの字形に形成されており、第２のコイル１６１は第２のヨーク１６０に巻き付けられている。第２のコイル１６１に通電することにより、第２のヨーク１６０の先端部１６０Ａの間に磁界を生じる。
【００４８】
図９に示すように、第２の回転マグネット部材１６２は、円柱状の第２の軸部１６２Ａと、第２の軸部１６２Ａから側方に延びるように形成された第２の腕部１６２Ｂと、第２の腕部１６２Ｂから第１の基板２に向かって立設された円柱状の第２の操作柱１６２Ｃと、第２の軸部１６２Ａの外周に設けられた第２の磁石１６２Ｄと、を備える。また、第２のカバー部材１６３は、第１の基板２に取り付けるための固定部１６３Ａを有し、また、第２の丸孔１６３Ｂが形成されている。
【００４９】
フレキシブルプリント基板１８は、一端部１８０が制御装置（図示せず）から延びる配線に接続されており、他端部が第１の枝部１８１と、第２の枝部１８２とに分岐されている。
【００５０】
組み立て状態において、第１の基板２の第１のフィルタ部材４と反対側の面の上部に、第１のヨーク１４０及び第１のコイル１４１が載置されている。そして、第１のカバー部材１４３が第１のヨーク１４０の外方から第１の基板２に取り付けられることにより、第１のヨーク１４０及び第１のコイル１４１が第１の基板２に固定されている。また、第１の回転マグネット部材１４２は、第１のヨーク１４０の先端部１４０Ａの間に配置されている。第１の回転マグネット部材１４２は、第１の軸部１４２Ａの一端が第１の基板２の第１の丸孔２１Ａに挿入され、第１の軸部１４２Ａの他端が第１のカバー部材１４３の第１の丸孔１４３Ｂに挿入されることにより、回転可能に保持されている。第１の回転マグネット部材１４２の第１の操作柱１４２Ｃは、第１の基板２の第１の円弧状孔２２Ａ、第１のセパレータ６の第１の円弧状孔６１Ｂ、及び第２のセパレータ８の第１の円弧状孔８１Ｂを貫通し、先端が第２の基板１２の第１の円弧状孔１２１Ｂに入り込んでいる。また、第１の操作柱１４２Ｃは、第１のフィルタ部材４の第１の長孔４１Ｂを挿通している。第１のカバー部材１４３には、フレキシブルプリント基板１８の第１の枝部１８１の先端が取り付けられており、第１のコイル１４１がフレキシブルプリント基板１８を介して制御装置と通電可能に接続されている。
【００５１】
制御装置が第１のコイル１４１に通電させることにより、第１のヨーク１４０の先端部１４０Ａの間に磁界が発生する。第１のヨーク１４０の先端部１４０Ａの間に磁界が発生すると、第１の回転マグネット部材１４２の第１の磁石１４２Ｄが磁界から磁力を受ける。これにより、第１の回転マグネット部材１４２が第１の軸部１４２Ａを中心に回転し、第１の操作柱１４２Ｃが第１の基板２の第１の円弧状孔２２Ａに沿って移動する。上記の通り、第１のフィルタ部材４は、第１の基板２の第１の軸柱２３Ａに回転可能に支持されており、第１の回転マグネット部材１４２の第１の操作柱１４２Ｃが第１のフィルタ部材４の第１の長孔４１Ｂに入り込んでいる。これにより、第１のフィルタ部材４を、一面が第１のセパレータ６の表面に当接し、基部４１の他面が内側凸部２４Ａ、２４Ｂに当接し、かつ、突出部４２Ｂの他面が外側凸部２４Ｃに当接した状態で回動させることができる。そして、第１のフィルタ駆動機構１４が、第１のフィルタ部材４を光軸（光路）に垂直な面内で移動させることにより、第１の光学フィルタ部４２Ａが、遮断位置と退避位置との間で移動する。
【００５２】
また、組み立て状態において、第１の基板２の第１のフィルタ部材４と反対側の面の側部に、第２のヨーク１６０及び第２のコイル１６１が載置されている。そして、第２のカバー部材１６３が第２のヨーク１６０の外方から第１の基板２に取り付けられることにより、第２のヨーク１６０及び第２のコイル１６１が第１の基板２に固定されている。また、第２の回転マグネット部材１６２は、第２のヨーク１６０の先端部１６０Ａの間に配置されている。第２の回転マグネット部材１６２は、第２の軸部１６２Ａの一端が第１の基板２の第２の丸孔２１Ｂに挿入され、第２の軸部１６２Ａの他端が第２のカバー部材１６３の第２の丸孔１６３Ｂに挿入されることにより、回転可能に保持されている。第２の回転マグネット部材１６２の第２の操作柱１６２Ｃは、第１の基板２の第２の円弧状孔２２Ｂ、第１のセパレータ６の第２の円弧状孔６３Ｂ、及び第２のセパレータ８の第２の円弧状孔８３Ｂを貫通し、先端が第２の基板１２の第２の円弧状孔１２３Ｂに入り込んでいる。また、第２の操作柱１６２Ｃは、第２のフィルタ部材１０の第２の長孔１０３Ｂを挿通している。第２のカバー部材１６３には、フレキシブルプリント基板１８の第２の枝部１８２の先端が取り付けられており、第２のコイル１６１がフレキシブルプリント基板１８を介して制御装置と通電可能に接続されている。
【００５３】
制御装置が第２のコイル１６１に通電させることにより、第２のヨーク１６０の先端部１６０Ａの間に磁界が発生する。第２のヨーク１６０の先端部１６０Ａの間に磁界が発生すると、第２の回転マグネット部材１６２の第２の磁石１６２Ｄが磁界から磁力を受ける。これにより、第２の回転マグネット部材１６２が第２の軸部１６２Ａを中心に回転し、第２の操作柱１６２Ｃが第１の基板２の第２の円弧状孔２２Ｂに沿って移動する。上記の通り、第２のフィルタ部材１０は、第１の基板２の第２の軸柱２３Ｂに回転可能に支持されており、第２の回転マグネット部材１６２の第２の操作柱１６２Ｃが第２のフィルタ部材１０の第２の長孔１０３Ｂに入り込んでいる。これにより、第２のフィルタ部材１０を、一面が第２のセパレータ８の表面に当接し、基部１０３の他面が第２の基板１２の内側凸部１２４Ａに当接し、かつ、突出部１０２Ｂが外側凸部１２４Ｂ、１２４Ｃに当接した状態で、回動させることができる。そして、第２のフィルタ駆動機構１６が、第２のフィルタ部材１０を光軸（光路）に垂直な面内で移動させることにより、第２の光学フィルタ部１０２Ａが、遮断位置と退避位置との間で移動する。なお、本実施形態では、第１のフィルタ部材４の第１の光学フィルタ部４２Ａの移動の軌跡は、第２のフィルタ部材１０の第２の光学フィルタ部１０２Ａの移動の軌跡と、光軸に垂直な平面に投影した場合に各々異なっている。
【００５４】
本実施形態では、例えば、第１のフィルタ部材４の第１の光学フィルタ部４２Ａの第１の光透過性がＮＤ２となっており、第２のフィルタ部材１０の第２の光学フィルタ部１０２Ａの第２の光透過性がＮＤ４となっている。第１の光透過性と、第２の光透過性とは異なることが好ましい。制御装置はシャッター速度の入力を受け付け、シャッター速度に応じて必要なＮＤフィルタユニットの光透光性を決定する。制御装置は、第１のフィルタ駆動機構１４及び第２のフィルタ駆動機構１６をそれぞれ独立して制御し、第１のフィルタ部材４及び第２のフィルタ部材１０は第１のフィルタ駆動機構１４及び第２のフィルタ駆動機構１６により個別に駆動される。そして、制御装置は、以下の減光状態を順不同に切り替える。
【００５５】
必要な光透過性が、減光が不要な場合には、制御装置は、第１のフィルタ駆動機構１４により第１のフィルタ部材４を退避位置に移動させ、第２のフィルタ駆動機構１６により第２のフィルタ部材１０を退避位置に移動させる。これにより、光路を通る光は減光されない非減光状態となる。
【００５６】
また、必要な光透過性がＮＤ２程度である場合には、制御装置は、第１のフィルタ駆動機構１４により第１のフィルタ部材４を遮断位置に移動させ、第２のフィルタ駆動機構１６により第２のフィルタ部材１０を退避位置に移動させる。これにより、光路を通る光が第１の光学フィルタ部４２Ａにより減光される第１の一重減光状態となる。
【００５７】
また、必要な光透過性がＮＤ４程度である場合には、制御装置は、第１のフィルタ駆動機構１４により第１のフィルタ部材４を退避位置に移動させ、第２のフィルタ駆動機構１６により第２のフィルタ部材１０を遮断位置に移動させる。これにより、光路を通る光が第２の光学フィルタ部１０２Ａにより減光される第２の一重減光状態となる。
【００５８】
また、必要な光透過性がＮＤ８程度である場合には、制御装置は、第１のフィルタ駆動機構１４により第１のフィルタ部材４を遮断位置に移動させ、第２のフィルタ駆動機構１６により第２の光学フィルタ部１０２Ａを遮断位置に移動させる。これにより、光路を通る光が第１の光学フィルタ部４２Ａ及び第２の光学フィルタ部１０２Ａにより減光される二重減光状態となる。
【００５９】
以上説明したように、第１実施形態によれば以下の効果が奏される。
本実施形態によれば、第１及び第２のフィルタ部材４、１０を移動させることにより、非減光状態と、第１及び第２の一重減光状態と、二重減光状態とをとることにより減光状態を切り替えており、２つのフィルタ部材４、１０で、非減光状態以外に３つの減光状態を切り替えることができる。このため、本実施形態によれば、２つのフィルタ部材４、１０で、光透過性を３段階で変更することが実現できるコンパクトなＮＤフィルタユニット１が実現できる。また、非減光状態と一重減光状態と二重減光状態とを順不同に切り替えることができるため、非減光状態から二重減光状態へ、一重減光状態から非減光状態へ、など、ある段階の減光状態から任意の段階の減光状態に容易に切り替えることができる。このため、撮影に必要な減光状態への切替を素早く行うことができ、撮影に最適な減光状態を素早く実現することができる。
【００６０】
また、本実施形態では、第１のフィルタ部材４に隣接するように第１のセパレータ６が配置され、第１のセパレータ６には、隣接する第１のフィルタ部材４の有する第１の光学フィルタ部４２Ａが遮断位置と退避位置との間で移動する移動軌跡に対応する部分に第１の開口６４が形成されている。また、第２のフィルタ部材１０に隣接するように第２のセパレータ８が配置され、第２のセパレータ８には、隣接する第２のフィルタ部材１０の有する第２の光学フィルタ部１０２Ａが遮断位置と退避位置との間で移動する移動軌跡に対応する部分に第２の開口８４が形成されている。これにより、第１及び第２のフィルタ部材４、１０が遮断位置と退避位置との間で移動しても、第１及び第２の光学フィルタ部４２Ａ、１０２Ａが傷つくのを防止できる。
【００６１】
また、本実施形態では、隣接して配置される第１及び第２のフィルタ部材４、１０の間に、第１のフィルタ部材４に隣接するように配置される第１のセパレータ６と、第２のフィルタ部材１０に隣接するように配置される第２のセパレータ８とが配置され、第１のセパレータ６には第１のフィルタ部材４の有する第１の光学フィルタ部４２Ａの移動軌跡に対応する部分に第１の開口６４が形成され、第２のセパレータ８には、第２のフィルタ部材１０の有する第２の光学フィルタ部１０２Ａの移動軌跡に対応する部分に第２の開口８４が形成されている。これにより、第１及び第２のフィルタ部材４、１０が遮断位置と退避位置との間で移動しても、第１及び第２の光学フィルタ部４２Ａ、１０２Ａが傷つくのを防止できる。また、第１のフィルタ部材４と第２のフィルタ部材１０とが同時に移動する場合でも、双方のフィルタ部材４、１０の光学フィルタ部４２Ａ、１０２Ａが擦れてたりして傷がつくことをより効果的に防止することができる。
【００６２】
また、本実施形態では、第１のフィルタ部材４の突出部４２Ｂが第１のセパレータ６に当接しており、第２のフィルタ部材１０の突出部１０２Ｂが第２のセパレータ８に当接している。これにより、第１及び第２のフィルタ部材４、１０が第１及び第２のセパレータ６、８の開口６４、８４に潜りこむことを防止でき、第１及び第２のフィルタ部材４、１０の駆動をスムーズにすることができる。
【００６３】
また、本実施形態では、第１の基板２及び第２の基板１２にはそれぞれ、隣接するように配置される第１及び第２のフィルタ部材４、１０の移動に伴う突出部４２Ｂ、１０２Ｂの移動軌跡に沿って外側凸部２４Ｃ、１２４Ｂ、１２４Ｃが形成されており、突出部４２Ｂ、１０２Ｂは外側凸部２４Ｃ、１２４Ｂ、１２４Ｃに当接している。これにより、第１及び第２の光学フィルタ部４２Ａ、１０２Ａが第１及び第２の基板２、１２に擦れて傷つくことを防止できる。
【００６４】
また、本実施形態では、第１の基板２及び第２の基板１２にはそれぞれ、隣接するように配置される第１及び第２のフィルタ部材４、１０の移動に伴う基部４１、１０３の移動軌跡に沿って内側凸部２４Ａ、２４Ｂ、１２４Ａが形成されており、基部４１、１０３は内側凸部２４Ａ、２４Ｂ、１２４Ａに当接している。これにより、第１及び第２の光学フィルタ部４２Ａ、１０２Ａが第１及び第２の基板２、１２に擦れて傷つくことを防止できる。
【００６５】
また、本実施形態では、第１及び第２のフィルタ部材４、１０の第１及び第２の光学フィルタ部４２Ａ、１０２Ａの移動軌跡が、光軸に垂直な平面に投影した場合に、各々異なる。これにより、第１及び第２のフィルタ部材４、１０を駆動させるための第１及び第２のフィルタ駆動機構１４、１６を効率よく配置でき、ＮＤフィルタユニット１を小型化することができる。
【００６６】
また、本実施形態では、第１及び第２のフィルタ駆動機構１４、１６は、第１及び第２のフィルタ部材４、１０を光軸に垂直な面内で移動させることにより第１及び第２の光学フィルタ部４２Ａ、１０２Ａを移動させている。このように、第１及び第２のフィルタ部材４、１０を個別に駆動することができるため、瞬時に減光状態を変更することができる。
【００６７】
また、本実施形態では、第１及び第２のフィルタ部材４、１０のそれぞれは、全領域が樹脂製の板材から形成されている。このように、第１及び第２のフィルタ部材４、１０が枠材を有していないため、軽量に形成することができ、第１及び第２のフィルタ部材４、１０を駆動する第１及び第２のフィルタ駆動機構１４、１６を小型化することができる。
【００６８】
なお、本実施形態では、第１及び第２のフィルタ部材４、１０の間に第１及び第２のセパレータ６、８を設けたが、一枚のセパレータを設けることも可能である。この場合には、セパレータには第１及び第２の光学フィルタ部４２Ａ、１０２Ａの両方の移動軌跡に当たる位置に開口を設けるとよい。  また、本実施形態では、第１及び第２の基板２、１２の両方に、内側凸部及び外側凸部の両方を設けているが、第１及び第２の基板の一方のみに設けてもよいし、内側凸部及び外側凸部の一方のみを設けてもよい。
【００６９】
＜第２実施形態＞
以下、本発明の第２実施形態によるＮＤフィルタユニットについて図面を参照しながら説明する。なお、第１実施形態と同様の構成については、第１実施形態の記載を参照して詳細な説明は省略する。
【００７０】
図１０及び図１１は、本発明の第２実施形態によるＮＤフィルタユニットを示す斜視図であり、図１０は第１の基板側から見た斜視図であり、図１１は第２の基板側から見た斜視図である。また、図１２及び図１３は、本発明の第２実施形態によるＮＤフィルタユニットを示す分解斜視図であり、図１２は第１の基板側から見た分解斜視図であり、図１３は第２の基板側から見た分解斜視図である。
【００７１】
第２実施形態によるＮＤフィルタユニットはカメラなどの撮像装置のレンズ鏡筒内に配置され、シャッター速度を遅くした場合に露出オーバーにならないように減光するためのものである。図１０〜図１３に示すように、ＮＤフィルタユニット２０１は、第１の基板２０２と、第１のフィルタ部材２０４と、第１のセパレータ２０６と、第２のセパレータ２０８と、第３のフィルタ部材２１０と、第３のセパレータ２１２と、第４のセパレータ２１４と、第２のフィルタ部材２１６と、第２の基板２１８と、第１のフィルタ駆動機構２２０と、第２のフィルタ駆動機構２２２と、第３のフィルタ駆動機構２２４と、フレキシブルプリント基板（図示せず）と、を備える。隣接して配置される第１のフィルタ部材２０４と第３のフィルタ部材２１０との間に、第１のセパレータ２０６及び第２のセパレータ２０８が配置されている。第１のセパレータ２０６は第１のフィルタ部材２０４に隣接しており、第２のセパレータ２０８は第３のフィルタ部材２１０に隣接している。また、隣接して配置される第３のフィルタ部材２１０と第２のフィルタ部材２１６との間に、第３のセパレータ２１２及び第４のセパレータ２１４が配置されている。第３のセパレータ２１２は第３のフィルタ部材２１０に隣接しており、第４のセパレータ２１４は第２のフィルタ部材２１６に隣接している。
【００７２】
第１の基板２０２は、板状に形成された部材からなり、光路に当たる部分に円形の中心開口部２２３が形成されている。また、第１の基板２０２の外周縁には周縁壁２０２Ａが立設されている。第１の基板２０２の上方には、円形断面の第１の丸孔２２１Ａが形成されており、第１の丸孔２２１Ａの横方向外側には円弧状の第１の円弧状孔２２２Ａが形成されている。第１の基板２０２の第１のフィルタ部材２０４側の面の上部には円柱状の第１の軸柱２２３Ａが立設されている。第１の軸柱２２３Ａは、第１の軸柱２２３Ａと第１の丸孔２２１Ａとの間に第１の円弧状孔２２２Ａが横方向に並ぶように配置されている。
【００７３】
また、第１の基板２０２の一方の側部には、円形断面の第２の丸孔２２１Ｂが形成されており、第２の丸孔２２１Ｂの上方には円弧状の第２の円弧状孔２２２Ｂが形成されている。第１の基板２０２の第１のフィルタ部材２０４側の面の側部には、円柱状の第２の軸柱２２３Ｂが立設されている。第２の軸柱２２３Ｂは、第２の軸柱２２３Ｂと第２の丸孔２２１Ｂとの間に第２の円弧状孔２２２Ｂが上下方向に並ぶように配置されている。
【００７４】
また、第１の基板２０２の他方の側部には、円形断面の第３の丸孔２２１Ｃが形成されており、第３の丸孔２２１Ｃの下方には円弧状の第３の円弧状孔２２２Ｃが形成されている。第１の基板２０２の第１のフィルタ部材２０４側の面の側部には、円柱状の第３の軸柱２２３Ｃが立設されている。第３の軸柱２２３Ｃは、第３の軸柱２２３Ｃと第３の丸孔２２１Ｃとの間に第３の円弧状孔２２２Ｃが上下方向に並ぶように配置されている。
【００７５】
第１の基板２０２の第１のフィルタ部材２０４側の面には、第１の軸柱２２３Ａを中心とした同心円弧状の内側凸部（第２の凸部）２２４Ａ、２２４Ｂ、及び、外側凸部（第１の凸部）２２４Ｃが形成されている。内側凸部２２４Ａ、２２４Ｂ及び外側凸部２２４Ｃは中心開口部２２３を挟むように配置されている。これら内側凸部２２４Ａ、２２４Ｂは、後述するように、第１のフィルタ部材２０４の第１の光学フィルタ部２４２Ａの移動の軌跡に対応する領域の半径方向内側の側部に位置している。また、外側凸部２２４Ｃは、第１のフィルタ部材２０４の第１の光学フィルタ部２４２Ａの移動の軌跡に対応する領域の半径方向外側の側部に位置している。外側凸部２２４Ｃは、第１の基板２０２に隣接して配置される第１のフィルタ部材２０４の突出部２４２Ｂの移動に伴う軌跡に沿って形成されている。また、内側凸部２２４Ａ、２２４Ｂは、第１の基板２０２に隣接して配置される第１のフィルタ部材２０４の基部２４１の移動に伴う軌跡に沿って形成されている。また、第１の基板２０２の第１のフィルタ部材２０４側の面には、第１のフィルタ部材２０４と干渉しないような位置に、第１のセパレータ２０６との距離を一定に保つための補助リブ２２５が形成されている。また、第１の基板２０２には、複数の取付機構２２６が形成されている。また、第１の基板２０２の第１のフィルタ部材２０４側の面には、複数の固定柱２２７が立設されている。
【００７６】
第１のフィルタ部材２０４は、基部２４１と、基部２４１の先端に形成された円形部２４２とを備え、両面が平坦な板状に形成されている。第１のフィルタ部材２０４は、全領域が第１の光透過性を有する樹脂により形成されている。すなわち、第１のフィルタ部材２０４はフィルタを保持するための保持枠を有していない。このような樹脂としては、例えば、ポリエチレンナフタレートなどを用いることができる。基部の端部には、円形の第１の円形孔２４１Ａと、第１の円形孔２４１Ａの側方に形成された第１の長孔２４１Ｂとが形成されている。円形部２４２の中心から所定の半径の円の内側領域がＮＤフィルタとして光学的に利用される第１の光学フィルタ部２４２Ａとして機能する。また、第１のフィルタ部材２０４は、第１の光学フィルタ部２４２Ａを挟んで基部２４１と異なる側に突出する突出部２４２Ｂを有する。
【００７７】
第１のセパレータ２０６は、両面が平坦な板状に形成された樹脂材からなる。第１のセパレータ２０６には、第１のフィルタ部材２０４の第１の光学フィルタ部２４２Ａの移動の軌跡に対応する領域に第１の開口２６４が形成されている。また、第１のセパレータ２０６の上方には、円形断面の第１の円形孔２６１Ａが形成されており、第１の円形孔２６１Ａの横方向中心側には円弧状の第１の円弧状孔２６１Ｂが形成されている。第１の円形孔２６１Ａ及び第１の円弧状孔２６１Ｂは、それぞれ、第１のセパレータ２０６における、第１の基板２０２の第１の軸柱２２３Ａ及び第１の円弧状孔２２２Ａに相当する領域に形成されている。第１のセパレータ２０６の一方の側部には、円形断面の第２の円形孔２６３Ａが形成されており、第２の円形孔２６３Ａの下方には円弧状の第２の円弧状孔２６３Ｂが形成されている。第２の円形孔２６３Ａ及び第２の円弧状孔２６３Ｂは、それぞれ、第１のセパレータ２０６における、第１の基板２０２の第２の軸柱２２３Ｂ及び第２の円弧状孔２２２Ｂに相当する領域に形成されている。第１のセパレータ２０６の他方の側部には、円形断面の第３の円形孔２６５Ａが形成されており、第３の円形孔２６５Ａの上方には円弧状の第３の円弧状孔２６５Ｂが形成されている。第３の円形孔２６５Ａ及び第３の円弧状孔２６５Ｂは、それぞれ、第１のセパレータ２０６における、第１の基板２０２の第３の軸柱２２３Ｃ及び第３の円弧状孔２２２Ｃに相当する領域に形成されている。なお、第１のセパレータ２０６における、第１の基板２０２の複数の固定柱２２７に当たる部分は外周又は開口が切り欠かれており、この切り欠き部が組み立て状態で固定柱２２７と当接する。なお、第１のセパレータ２０６に形成された第１の開口２６４の幅（移動軌跡に垂直方向の幅）は、ＮＤフィルタユニット２０１に入射する入射光の光路の直径よりも大きく、第１のフィルタ部材２０４の円形部２４２の直径よりも小さくするとよい。これにより、第１のフィルタ部材２０４が第１のセパレータ２０６の第１の開口２６４に入り込むのを防止できる。
【００７８】
第２のセパレータ２０８は、両面が平坦な板状に形成された樹脂材からなる。第２のセパレータ２０８には、第３のフィルタ部材２１０の第３の光学フィルタ部３０２Ａの移動の軌跡に対応する領域に第２の開口２８４が形成されている。また、第２のセパレータ２０８の上方には、円形断面の第１の円形孔２８１Ａが形成されており、第１の円形孔２８１Ａの側方には円弧状の第１の円弧状孔２８１Ｂが形成されている。第１の円形孔２８１Ａ及び第１の円弧状孔２８１Ｂは、それぞれ、第２のセパレータ２０８における、第１の基板２０２の第１の軸柱２２３Ａ及び第１の円弧状孔２２２Ａに相当する領域に形成されている。第２のセパレータ２０８の一方の側部には、円形断面の第２の円形孔２８３Ａが形成されており、第２の円形孔２８３Ａの下方には円弧状の第２の円弧状孔２８３Ｂが形成されている。第２の円形孔２８３Ａ及び第２の円弧状孔２８３Ｂは、それぞれ、第２のセパレータ２０８における、第１の基板２０２の第２の軸柱２２３Ｂ及び第２の円弧状孔２２２Ｂに相当する領域に形成されている。第２のセパレータ２０８の他方の側部には、円形断面の第３の円形孔２８５Ａが形成されており、第３の円形孔２８５Ａの上方には円弧状の第３の円弧状孔２８５Ｂが形成されている。第３の円形孔２８５Ａ及び第３の円弧状孔２８５Ｂは、それぞれ、第２のセパレータ２０８における、第１の基板２０２の第３の軸柱２２３Ｃ及び第３の円弧状孔２２２Ｃに相当する領域に形成されている。なお、第２のセパレータ２０８において、第１の基板２０２の複数の固定柱２２７に当たる部分は外周又は開口が切り欠かれており、この切り欠き部が組み立て状態で固定柱２２７と当接する。なお、第２のセパレータ２０８に形成された第２の開口２８４の幅（移動軌跡に垂直方向の幅）は、ＮＤフィルタユニット２０１に入射する入射光の光路の直径よりも大きく、第３のフィルタ部材３０４の円形部３０２の直径よりも小さくするとよい。これにより、第３のフィルタ部材３０４が第２のセパレータ２０８の第２の開口２８４に入り込むのを防止できる。
【００７９】
第３のフィルタ部材２１０は、基部３０５と、基部３０５の先端に形成された円形部３０２とを備え、両面が平坦な板状に形成されている。第３のフィルタ部材２１０は、全領域が第３の光透過性を有する樹脂により形成されている。すなわち、第３のフィルタ部材２１０はフィルタを保持するための保持枠を有していない。このような樹脂としては、例えば、ポリエチレンナフタレートなどを用いることができる。基部３０５には、円形の第３の円形孔３０５Ａと、第３の円形孔３０５Ａの上方に形成された第３の長孔３０５Ｂとが形成されている。円形部３０２の中心から所定の半径の領域がＮＤフィルタとして光学的に利用される第３の光学フィルタ部３０２Ａとして機能する。また、第３のフィルタ部材２１０は、第３の光学フィルタ部３０２Ａを挟んで基部３０５と異なる側に突出する突出部３０２Ｂを有する。
【００８０】
第３のセパレータ２１２は、両面が平坦な板状に形成された樹脂材からなる。第３のセパレータ２１２には、第３のフィルタ部材２１０の第３の光学フィルタ部３０２Ａの移動の軌跡に対応する領域に第３の開口３２４が形成されている。また、第３のセパレータ２１２の上方には、円形断面の第１の円形孔３２１Ａが形成されており、第１の円形孔３２１Ａの側方には円弧状の第１の円弧状孔３２１Ｂが形成されている。第１の円形孔３２１Ａ及び第１の円弧状孔３２１Ｂは、それぞれ、第３のセパレータ２１２における、第１の基板２０２の第１の軸柱２２３Ａ及び第１の円弧状孔２２２Ａに相当する領域に形成されている。第３のセパレータ２１２の一方の側部には、円形断面の第２の円形孔３２３Ａが形成されており、第２の円形孔３２３Ａの下方には円弧状の第２の円弧状孔３２３Ｂが形成されている。第２の円形孔３２３Ａ及び第２の円弧状孔３２３Ｂは、それぞれ、第３のセパレータ２１２における、第１の基板２０２の第２の軸柱２２３Ｂ及び第２の円弧状孔２２２Ｂに相当する領域に形成されている。第３のセパレータ２１２の他方の側部には、円形断面の第３の円形孔３２５Ａが形成されており、第３の円形孔３２５Ａの上方には円弧状の第３の円弧状孔３２５Ｂが形成されている。第３の円形孔３２５Ａ及び第３の円弧状孔３２５Ｂは、それぞれ、第３のセパレータ２１２における、第１の基板２０２の第３の軸柱２２３Ｃ及び第３の円弧状孔２２２Ｃに相当する領域に形成されている。なお、第３のセパレータ２１２において、第１の基板２０２の複数の固定柱２２７に当たる部分は外周又は開口が切り欠かれており、この切り欠き部が組み立て状態で固定柱２２７と当接する。なお、第３のセパレータ２１２に形成された第３の開口３２４の幅（移動軌跡に垂直方向の幅）は、ＮＤフィルタユニット２０１に入射する入射光の光路の直径よりも大きく、第３のフィルタ部材２１０の円形部３０２の直径よりも小さくするとよい。これにより、第３のフィルタ部材２１０が第３のセパレータ２１２の第３の開口３２４に入り込むのを防止できる。
【００８１】
第４のセパレータ２１４は、両面が平坦な板状に形成された樹脂材からなる。第４のセパレータ２１４には、第２のフィルタ部材２１６の第２の光学フィルタ部３６２Ａの移動の軌跡に対応する領域に第４の開口３４４が形成されている。また、第４のセパレータ２１４の上方には、円形断面の第１の円形孔３４１Ａが形成されており、第１の円形孔３４１Ａの側方には円弧状の第１の円弧状孔３４１Ｂが形成されている。第１の円形孔３４１Ａ及び第１の円弧状孔３４１Ｂは、それぞれ、第４のセパレータ２１４における、第１の基板２０２の第１の軸柱２２３Ａ及び第１の円弧状孔２２２Ａに相当する領域に形成されている。第４のセパレータ２１４の一方の側部には、円形断面の第２の円形孔３４３Ａが形成されており、第２の円形孔３４３Ａの下方には円弧状の第２の円弧状孔３４３Ｂが形成されている。第２の円形孔３４３Ａ及び第２の円弧状孔３４３Ｂは、それぞれ、第４のセパレータ２１４における、第１の基板２０２の第２の軸柱２２３Ｂ及び第２の円弧状孔２２２Ｂに相当する領域に形成されている。第４のセパレータ２１４の他方の側部には、円形断面の第３の円形孔３４５Ａが形成されており、第３の円形孔３４５Ａの上方には円弧状の第３の円弧状孔３４５Ｂが形成されている。第３の円形孔３４５Ａ及び第３の円弧状孔３４５Ｂは、それぞれ、第４のセパレータ２１４における、第１の基板２０２の第３の軸柱２２３Ｃ及び第３の円弧状孔２２２Ｃに相当する領域に形成されている。なお、第４のセパレータ２１４において、第１の基板２０２の複数の固定柱２２７に当たる部分は外周又は開口が切り欠かれており、この切り欠き部が組み立て状態で固定柱２２７と当接する。なお、第４のセパレータ２１４に形成された第４の開口３４４の幅（移動軌跡に垂直方向の幅）は、ＮＤフィルタユニット２０１に入射する入射光の光路の直径よりも大きく、第２のフィルタ部材２１６の円形部３６２の直径よりも小さくするとよい。これにより、第２のフィルタ部材２１６が第４のセパレータ２１４の第４の開口３４４に入り込むのを防止できる。
【００８２】
第２のフィルタ部材２１６は、基部３６３と、基部３６３の先端に形成された円形部３６２とを備え、両面が平坦な板状に形成されている。第２のフィルタ部材２１６は、全領域が第３の光透過性を有する樹脂により形成されている。すなわち、第２のフィルタ部材２１６はフィルタを保持するための保持枠を有していない。このような樹脂としては、例えば、ポリエチレンナフタレートなどを用いることができる。基部３６３には、円形の第２の円形孔３６３Ａと、第２の円形孔３６３Ａの下方に形成された第２の長孔３６３Ｂとが形成されている。円形部３６２の中心から所定の半径の領域がＮＤフィルタとして光学的に利用される第２の光学フィルタ部３６２Ａとして機能する。また、第２のフィルタ部材２１６は、第２の光学フィルタ部３６２Ａを挟んで基部３６３と異なる側に突出する突出部３６２Ｂを有する。
【００８３】
第２の基板２１８は、板状に形成された部材からなり、光路に当たる部分に円形の中心開口部３８０が形成されている。第２の基板２１８の上方には、円形断面の第１の円形孔３８１Ａが形成されており、第１の円形孔３８１Ａの側方には円弧状の第１の円弧状孔３８１Ｂが形成されている。第１の円形孔３８１Ａ及び第１の円弧状孔３８１Ｂは、それぞれ、第２の基板３１８における、第１の基板２０２の第１の軸柱２２３Ａ及び第１の円弧状孔２２２Ａに相当する領域に形成されている。また、第２の基板２１８の一方の側部には、円形断面の第２の円形孔３８３Ａが形成されており、第２の円形孔３８３Ａの上方には円弧状の第２の円弧状孔３８３Ｂが形成されている。第２の円形孔３８３Ａ及び第２の円弧状孔３８３Ｂは、それぞれ、第２の基板２１８における、第１の基板２０２の第２の軸柱２２３Ｂ及び第２の円弧状孔２２２Ｂに相当する領域に形成されている。また、第２の基板２１８の他方の側部には、円形断面の第３の円形孔３８５Ａが形成されており、第３の円形孔３８５Ａの下方には円弧状の第３の円弧状孔３８５Ｂが形成されている。第３の円形孔３８５Ａ及び第３の円弧状孔３８５Ｂは、それぞれ、第２の基板２１８における、第１の基板２０２の第３の軸柱２２３Ｃ及び第３の円弧状孔２２２Ｃに相当する領域に形成されている。
【００８４】
第２の基板２１８の第２のフィルタ部材２１６側の面には、第２の円形孔３８３Ａを中心とした円弧状の内側凸部３８４Ａが形成されている。内側凸部３８４Ａは、後述するように、第２のフィルタ部材２１６の第２の光学フィルタ部３６２Ａの移動の軌跡に対応する領域の半径方向内側の側部に位置している。また、内側凸部３８４Ａは、第２の基板２１８に隣接して配置される第２のフィルタ部材２１６の基部３６３の移動に伴う軌跡に沿って形成されている。また、第２の基板２１８の第２のフィルタ部材２１６側の面には、第２のフィルタ部材２１６と干渉しないような位置に、第４のセパレータ２１４との距離を一定に保つための補助リブ３８５が形成されている。また、第２の基板２１８には、複数の取付機構３８６が形成されている。また、第２の基板２１８における、第１の基板２０２の複数の固定柱２２７に当たる位置には固定用開口３８７が形成されている。
【００８５】
組み立て状態では、第１の基板２０２の周縁壁２０２Ａの縁に第２の基板２１８を当接させ、第１の基板２０２の取付機構２２６が、それぞれ、第２の基板２１８の取付機構３８６と嵌合し、第１の基板２０２の固定柱２２７が、第２の基板３１８の固定用開口３８７に入り込むことにより、固定されている。第１の基板２０２及び第２の基板２１８は、第１のフィルタ部材２０４、第２のフィルタ部材２１６、及び第３のフィルタ部材２１０を挟み込むように配置される。そして、第１のフィルタ部材２０４及び第３のフィルタ部材２１０の間に第１のセパレータ２０６及び第２のセパレータ２０８が挟み込まれ、第３のフィルタ部材２１０及び第２のフィルタ部材２１６の間に第３のセパレータ２１２及び第４のセパレータ２１４が挟み込まれる。
【００８６】
また、第１のセパレータ２０６は、第１のフィルタ部材２０４側の面が第１の基板２０２の補助リブ２２５と当接し、反対側の面が第２のセパレータ２０８と当接し、外周及び開口に形成された切り欠き部に第１の基板２０２の複数の固定柱２２７が当接することにより、固定されている。
【００８７】
また、第２のセパレータ２０８は、一方の面が第３のフィルタ部材２１０当接し、反対側の面が第１のセパレータ２０６と当接し、外周及び開口に形成された切り欠き部に第１の基板２０２の複数の固定柱２２７が当接することにより、固定されている。
【００８８】
また、第３のセパレータ２１２は、一方の面が第３のフィルタ部材２１０当接し、反対側の面が第４のセパレータ２１４と当接し、外周及び開口に形成された切り欠き部に第１の基板２０２の複数の固定柱２２７が当接することにより、固定されている。
【００８９】
また、第４のセパレータ２１４は、第２のフィルタ部材２１６側の面が第２の基板２１８の補助リブ３８５と当接し、反対側の面が第３のセパレータ２１２と当接し、外周及び開口に形成された切り欠き部に第１の基板２０２の複数の固定柱２２７が当接することにより、固定されている。
【００９０】
第１のフィルタ部材２０４は、第１の基板２０２及び第１のセパレータ２０６と隣接し、これら第１の基板２０２及び第１のセパレータ２０６に挟まれるように配置されている。また、第１のフィルタ部材２０４の一面は第１のセパレータ２０６の一面と当接している。第１のフィルタ部材２０４の突出部２４２Ｂは第１のセパレータ２０６の表面に当接している。第１の基板２０２の第１の軸柱２２３Ａは、第１のフィルタ部材２０４の第１の円形孔２４１Ａ、第１のセパレータ２０６の第１の円形孔２６１Ａ、第２のセパレータ２０８の第１の円形孔２８１Ａ、第３のセパレータ２１２の第１の円形孔３２１Ａ、第４のセパレータ２１４の第１の円形孔３４１Ａを貫通して、第２の基板２１８の第１の円形孔３８１Ａに入り込んでいる。これにより、第１のフィルタ部材２０４は、第１の軸柱２２３Ａを中心に、第１の光学フィルタ部２４２Ａが光路を遮る遮断位置（第１の光学フィルタ部２４２Ａが第１の基板２０２の中心開口部２２３と整列する位置）と、第１の光学フィルタ部２４２Ａが光路から退避した退避位置（第１の光学フィルタ部２４２Ａが側方に移動した位置）との間で回動可能に支持されている。
【００９１】
第３のフィルタ部材２１０は、第２のセパレータ２０８及び第３のセパレータ２１２と隣接し、これら第２のセパレータ２０８及び第３のセパレータ２１２に挟まれるように配置されている。また、第３のフィルタ部材２１０の各面は第２のセパレータ２０８及び第３のセパレータ２１２の一面とそれぞれ当接している。第３のフィルタ部材２１０の突出部３０２Ｂは第２のセパレータ２０８及び第３のセパレータ２１２の表面に当接している。第１の基板２０２の第３の軸柱２２３Ｃは、第１のセパレータ２０６の第３の円形孔２６５Ａ、第２のセパレータ２０８の第３の円形孔２８５Ａ、第３のフィルタ部材２１０の第３の円形孔３０５Ａ、第３のセパレータ２１２の第３の円形孔３２５Ａ、及び、第４のセパレータ２１４の第３の円形孔３４５Ａを貫通して、第２の基板２１８の第３の円形孔３８５Ａに入り込んでいる。これにより、第３のフィルタ部材２１０は、第３の軸柱２２３Ｃを中心に、第３の光学フィルタ部３０２Ａが光路を遮る遮断位置（第３の光学フィルタ部３０２Ａが第１の基板２０２の中心開口部２２３と整列する位置）と、第３の光学フィルタ部３０２Ａが光路から退避した退避位置（第３の光学フィルタ部３０２Ａが側方に移動した位置）との間で回動可能に支持されている。
【００９２】
第２のフィルタ部材２１６は、第４のセパレータ２１４及び第２の基板２１８と隣接し、これら第４のセパレータ２１４及び第２の基板２１８に挟まれるように配置されている。また、第２のフィルタ部材２１６の一面は第４のセパレータ２１４の一面と当接している。第２のフィルタ部材２１６の突出部３６２Ｂは第４のセパレータ２１４の表面に当接している。第１の基板２０２の第２の軸柱２２３Ｂは、第１のセパレータ２０６の第２の円形孔２６３Ａ、第２のセパレータ２０８の第２の円形孔２８３Ａ、第３のセパレータ２１２の第２の円形孔３２３Ａ、第４のセパレータ２１４の第２の円形孔３４３Ａ、及び、第２のフィルタ部材２１６の第２の円形孔３６３Ａを貫通して、第２の基板２１８の第２の円形孔３８３Ａに入り込んでいる。これにより、第２のフィルタ部材２１６は、第２の軸柱２２３Ｂを中心に、第２の光学フィルタ部３６２Ａが光路を遮る遮断位置（第２の光学フィルタ部３６２Ａが第２の基板２１８の中心開口部３８０と整列する位置）と、第２の光学フィルタ部３６２Ａが光路から退避した退避位置（第２の光学フィルタ部３６２Ａが側方に移動した位置）との間で回動可能に支持されている。
【００９３】
第１のフィルタ駆動機構２２０は、第１のヨーク４００と、第１のヨーク４００に取り付けられた第１のコイル４０１と、第１の回転マグネット部材４０２と、第１のカバー部材４０３とを備える。第１のヨーク４００は、コの字形に形成されており、第１のコイル４０１は第１のヨーク４００に巻き付けられている。第１のコイル４０１に通電することにより、第１のヨーク４００の先端部４００Ａの間に磁界を生じる。
【００９４】
図１４は、第２実施形態における第１〜第３の回転マグネット部材を示す斜視図である。第１の回転マグネット部材４０２は、円柱状の第１の軸部４０２Ａと、第１の軸部４０２Ａから側方に延びるように形成された第１の腕部４０２Ｂと、第１の腕部４０２Ｂから第１の基板２０２に向かって立設された円柱状の第１の操作柱４０２Ｃと、第１の軸部４０２Ａの外周に設けられた第１の磁石４０２Ｄと、を備える。また、第１のカバー部材４０３は、第１の基板２０２に取り付けるための固定部４０３Ａを有し、また、第１の丸孔４０３Ｂが形成されている。
【００９５】
第３のフィルタ駆動機構２２４は、第３のヨーク４４０と、第３のヨーク４４０に取り付けられた第３のコイル４４１と、第３の回転マグネット部材４４２と、第３のカバー部材４４３とを備える。第３のヨーク４４０は、コの字形に形成されており、第３のコイル４４１は第３のヨーク４４０に巻き付けられている。第３のコイル４４１に通電することにより、第３のヨーク４４０の先端部４４０Ａの間に磁界を生じる。
【００９６】
図１４に示すように、第３の回転マグネット部材４４２は、円柱状の第３の軸部４４２Ａと、第３の軸部４４２Ａから側方に延びるように形成された第３の腕部４４２Ｂと、第３の腕部４４２Ｂから第１の基板２０２に向かって立設された円柱状の第３の操作柱４４２Ｃと、第３の軸部４４２Ａの外周に設けられた第３の磁石４４２Ｄと、を備える。また、第３のカバー部材４４３は、第１の基板２０２に取り付けるための固定部４４３Ａを有し、また、第３の丸孔４４３Ｂが形成されている。
【００９７】
第２のフィルタ駆動機構２２２は、第２のヨーク４２０と、第２のヨーク４２０に取り付けられた第２のコイル４２１と、第２の回転マグネット部材４２２と、第２のカバー部材４２３とを備える。第２のヨーク４２０は、コの字形に形成されており、第２のコイル４２１は第２のヨーク４２０に巻き付けられている。第２のコイル４２１に通電することにより、第２のヨーク４２０の先端部４２０Ａの間に磁界を生じる。
【００９８】
図１４に示すように、第２の回転マグネット部材４２２は、円柱状の第２の軸部４２２Ａと、第２の軸部４２２Ａから側方に延びるように形成された第２の腕部４２２Ｂと、第２の腕部４２２Ｂから第１の基板２０２に向かって立設された円柱状の第２の操作柱４２２Ｃと、第２の軸部４２２Ａの外周に設けられた第２の磁石４２２Ｄと、を備える。また、第２のカバー部材４２３は、第１の基板２０２に取り付けるための固定部４２３Ａを有し、また、第２の丸孔４２３Ｂが形成されている。
【００９９】
フレキシブルプリント基板は、一端部が制御装置から延びる配線に接続されており、他端部が第１の枝部と、第２の枝部と、第３の枝部とに分岐されている。
【０１００】
組み立て状態において、第１の基板２０２の第１のフィルタ部材２０４と反対側の面の上部に、第１のヨーク４００及び第１のコイル４０１が載置されている。そして、第１のカバー部材４０３が第１のヨーク４００の外方から第１の基板２０２に取り付けられることにより、第１のヨーク４００及び第１のコイル４０１が第１の基板２０２に固定されている。また、第１の回転マグネット部材４０２は、第１のヨーク４００の先端部４００Ａの間に配置されている。第１の回転マグネット部材４０２は、第１の軸部４０２Ａの一端が第１の基板２０２の第１の丸孔２２１Ａに挿入され、第１の軸部４０２Ａの他端が第１のカバー部材４０３の第１の丸孔４０３Ｂに挿入されることにより、回転可能に保持されている。第１の回転マグネット部材４０２の第１の操作柱４０２Ｃは、第１の基板２０２の第１の円弧状孔２２２Ａ、第１のセパレータ２０６の第１の円弧状孔２６１Ｂ、第２のセパレータ２０８の第１の円弧状孔２８１Ｂ、第３のセパレータ２１２の第１の円弧状孔３２１Ｂ、及び、第４のセパレータ２１４の第１の円弧状孔３４１Ｂを貫通し、先端が第２の基板２１８の第１の円弧状孔３８１Ｂに入り込んでいる。また、第１の操作柱４０２Ｃは、第１のフィルタ部材２０４の第１の長孔２４１Ｂを挿通している。第１のカバー部材４０３には、フレキシブルプリント基板の第１の枝部の先端が取り付けられており、第１のコイル４０１がフレキシブルプリント基板を介して制御装置と通電可能に接続されている。
【０１０１】
制御装置が第１のコイル４０１に通電させることにより、第１のヨーク４００の先端部４００Ａの間に磁界が発生する。第１のヨーク４００の先端部４００Ａの間に磁界が発生すると、第１の回転マグネット部材４０２の第１の磁石４０２Ｄが磁界から磁力を受ける。これにより、第１の回転マグネット部材４０２が第１の軸部４０２Ａを中心に回転し、第１の操作柱４０２Ｃが第１の基板２０２の第１の円弧状孔２２２Ａに沿って移動する。上記の通り、第１のフィルタ部材２０４は、第１の基板２０２の第１の軸柱２２３Ａに回転可能に支持されており、第１の回転マグネット部材４０２の第１の操作柱４０２Ｃが第１のフィルタ部材２０４の第１の長孔２４１Ｂに入り込んでいる。これにより、第１のフィルタ部材２０４を、一面が第１のセパレータ２０６の表面に当接し、基部２４１の他面が第１の基板２０２の内側凸部２２４Ａ、２２４Ｂに当接し、かつ、突出部２４２Ｂの他面が外側凸部２２４Ｃに当接した状態で回動させることができる。そして、第１のフィルタ駆動機構２２０が、第１のフィルタ部材２０４を光軸（光路）に垂直な面内で移動させることにより、第１の光学フィルタ部２４２Ａが、遮断位置と退避位置との間で移動する。
【０１０２】
また、組み立て状態において、第１の基板２０２の第１のフィルタ部材２０４と反対側の面の一方の下方側部に、第２のヨーク４２０及び第２のコイル４２１が載置されている。そして、第２のカバー無事ａ４２３が第２のヨーク４２０の外方から第１の基板２０２に取り付けられることにより、第２のヨーク４２０及び第２のコイル４２１が第１の基板２０２に固定されている。また、第２の回転マグネット部材４２２は、第２のヨーク４２０の先端部４２０Ａの間に配置されている。第２の回転マグネット部材４２２は、第２の軸部４２２Ａの一端が第１の基板２０２の第２の丸孔２２１Ｂに挿入され、第２の軸部４２２Ａの他端が第２のカバー部材４２３の第２の丸孔４２３Ｂに挿入されることにより、回転可能に保持されている。第２の回転マグネット部材４２２の第２の操作柱４２２Ｃは、第１の基板２０２の第２の円弧状孔２２２Ｂ、第１のセパレータ２０６の第２の円弧状孔２６３Ｂ、第２のセパレータ２０８の第２の円弧状孔２８３Ｂ、第３のセパレータ２１２の第２の円弧状孔３２３Ｂ、及び、第４のセパレータ２１４の第２の円弧状孔３４３Ｂを貫通し、先端が第２の基板２１８の第２の円弧状孔３８３Ｂに入り込んでいる。また、第２の操作柱４２２Ｃは、第２のフィルタ部材２１６の第２の長孔３６３Ｂを挿通している。第２のカバー部材４２３には、フレキシブルプリント基板の第２の枝部の先端が取り付けられており、第２のコイル４２１がフレキシブルプリント基板を介して制御装置と通電可能に接続されている。
【０１０３】
制御装置が第２のコイル４２１に通電させることにより、第２のヨーク４２０の先端部４２０Ａの間に磁界が発生する。第２のヨーク４２０の先端部４２０Ａの間に磁界が発生すると、第２の回転マグネット部材４２２の第２の磁石４２２Ｄが磁界から磁力を受ける。これにより、第２の回転マグネット部材４２２が第２の軸部４２２Ａを中心に回転し、第２の操作柱４２２Ｃが第１の基板２０２の第２の円弧状孔２２２Ｂに沿って移動する。上記の通り、第２のフィルタ部材２１６は、第１の基板２０２の第２の軸柱２２３Ｂに回転可能に支持されており、第２の回転マグネット部材４２２の第２の操作柱４２２Ｃが第２のフィルタ部材２１６の第２の長孔３６３Ｂに入り込んでいる。これにより、第２のフィルタ部材２１６を、一面が第４のセパレータ２１４の表面に当接し、基部３６３の他面が第２の基板２１８の内側凸部３８４Ａに当接した状態で回動させることができる。そして、第２のフィルタ駆動機構２２２が、第２のフィルタ部材２１６を光軸（光路）に垂直な面内で移動させることにより、第２の光学フィルタ部３６２Ａが、遮断位置と退避位置との間で移動する。
【０１０４】
また、組み立て状態において、第１の基板２０２の第１のフィルタ部材２０４と反対側の面の他方の下方側部に、第３のヨーク４４０及び第３のコイル４４１が載置されている。そして、第３のカバー部材４４３が第３のヨーク４４０の外方から第１の基板２０２に取り付けられることにより、第３のヨーク４４０及び第３のコイル４４１が第１の基板２０２に固定されている。また、第３の回転マグネット部材４４２は、第３のヨーク４４０の先端部４４０Ａの間に配置されている。第３の回転マグネット部材４４２は、第３の軸部４４２Ａの一端が第１の基板２０２の第３の丸孔２２１Ｃに挿入され、第３の軸部４４２Ａの他端が第３のカバー部材４４３の第３の丸孔４４３Ｂに挿入されることにより、回転可能に保持されている。第３の回転マグネット部材４４２の第３の操作柱４４２Ｃは、第１の基板２０２の第３の円弧状孔２２２Ｃ、第１のセパレータ２０６の第３の円弧状孔２６５Ｂ、第２のセパレータ２０８の第３の円弧状孔２８５Ｂ、第３のセパレータ２１２の第３の円弧状孔３２５Ｂ、及び、第４のセパレータ２１４の第３の円弧状孔３４５Ｂを貫通し、先端が第２の基板２１８の第３の円弧状孔３８５Ｂに入り込んでいる。また、第３の操作柱４４２Ｃは、第３のフィルタ部材２１０の第３の長孔３０５Ｂを挿通している。第３のカバー部材４４３には、フレキシブルプリント基板の第３の枝部の先端が取り付けられており、第３のコイル４４１がフレキシブルプリント基板を介して制御装置と通電可能に接続されている。
【０１０５】
制御装置が第３のコイル４４１に通電させることにより、第３のヨーク４４０の先端部４４０Ａの間に磁界が発生する。第３のヨーク４４０の先端部４４０Ａの間に磁界が発生すると、第３の回転マグネット部材４４２の第３の磁石４４２Ｄが磁界から磁力を受ける。これにより、第３の回転マグネット部材４４２が第３の軸部４４２Ａを中心に回転し、第３の操作柱４４２Ｃが第１の基板２０２の第３の円弧状孔２２２Ｃに沿って移動する。上記の通り、第３のフィルタ部材２１０は、第１の基板２０２の第３の軸柱２２３Ｃに回転可能に支持されており、第３の回転マグネット部材４４２の第３の操作柱４４２Ｃが第３のフィルタ部材２１０の第３の長孔３０５Ｂに入り込んでいる。これにより、第３のフィルタ部材２１０を、一面が第２のセパレータ２０８の表面に当接し、他面が第３のセパレータ２１２の表面に当接した状態で回動させることができる。そして、第３のフィルタ駆動機構２２４が、第３のフィルタ部材２１０を光軸（光路）に垂直な面内で移動させることにより、第３の光学フィルタ部３０２Ａが、遮断位置と退避位置との間で移動する。
【０１０６】
本実施形態では、例えば、第１のフィルタ部材２０４の第１の光学フィルタ部２４２Ａの第１の光透過性がＮＤ２となっており、第２のフィルタ部材２１６の第２の光学フィルタ部３６２Ａの第２の光透過性がＮＤ４となっており、第３のフィルタ部材２１０の第３の光学フィルタ部３０２Ａの第３の光透過性がＮＤ３となっている。第１の光透過性と、第２の光透過性と、第３の光透過性とは互いに異なることが好ましい。制御装置はシャッター速度の入力を受け付け、シャッター速度に応じて必要なＮＤフィルタユニットの光透光性を決定する。制御装置は、第１のフィルタ駆動機構２２０、第２のフィルタ駆動機構２２２、及び第３のフィルタ駆動機構２２４それぞれ独立して制御し、第１のフィルタ部材２０４、第２のフィルタ部材２１６、及び第３のフィルタ部材２１０は第１のフィルタ駆動機構２２０、第２のフィルタ駆動機構２２２、及び第３のフィルタ駆動機構２２４により個別に駆動される。そして、制御装置は、以下の減光状態を順不同に切り替える。
【０１０７】
必要な光透過性が、減光が不要な場合には、制御装置は、第１のフィルタ駆動機構２２０により第１のフィルタ部材２０４を退避位置に移動させ、第２のフィルタ駆動機構２２２により第２のフィルタ部材２１６を退避位置に移動させ、第３のフィルタ駆動機構２２４により第３のフィルタ部材２１０を退避位置に移動させる。これにより、光路を通る光は減光されない非減光状態となる。
【０１０８】
また、必要な光透過性がＮＤ２程度である場合には、制御装置は、第１のフィルタ駆動機構２２０により第１のフィルタ部材２０４を遮断位置に移動させ、第２のフィルタ駆動機構２２２及び第３のフィルタ駆動機構２２４により第２のフィルタ部材２１６及び第３のフィルタ部材２１０を退避位置に移動させる。これにより、光路を通る光が第１の光学フィルタ部２４２Ａにより減光される第１の一重減光状態となる。
【０１０９】
また、必要な光透過性がＮＤ４程度である場合には、制御装置は、第２のフィルタ駆動機構２２２により第２のフィルタ部材２１６を遮断位置に移動させ、第１のフィルタ駆動機構２２０及び第３のフィルタ駆動機構２２４により第１のフィルタ部材２０４及び第３のフィルタ部材２１０を退避位置に移動させる。これにより、光路を通る光が第２の光学フィルタ部３６２Ａにより減光される第２の一重減光状態となる。
【０１１０】
また、必要な光透過性がＮＤ３程度である場合には、制御装置は、第３のフィルタ駆動機構２２４により第３のフィルタ部材２１０を遮断位置に移動させ、第１のフィルタ駆動機構２２０及び第２のフィルタ駆動機構２２２により第１のフィルタ部材２０４及び第２のフィルタ部材２１６を退避位置に移動させる。これにより、光路を通る光が第３の光学フィルタ部３０２Ａにより減光される第３の一重減光状態となる。
【０１１１】
また、必要な光透過性がＮＤ１２程度である場合には、制御装置は、第１のフィルタ駆動機構２２０により第１のフィルタ部材２０４を退避位置に移動させ、第２のフィルタ駆動機構２２２及び第３のフィルタ駆動機構２２４により第２のフィルタ部材２１６及び第３のフィルタ部材２１０を遮断位置に移動させる。これにより、光路を通る光が第２の光学フィルタ部３６２Ａ及び第３の光学フィルタ部３０２Ａにより減光される第１の二重減光状態となる。
【０１１２】
また、必要な光透過性がＮＤ６程度である場合には、制御装置は、第２のフィルタ駆動機構２２２により第２のフィルタ部材２１６を退避位置に移動させ、第１のフィルタ駆動機構２２０及び第３のフィルタ駆動機構２２４により第１のフィルタ部材２０４及び第３のフィルタ部材２１０を遮断位置に移動させる。これにより、光路を通る光が第１の光学フィルタ部２４２Ａ及び第３の光学フィルタ部３０２Ａにより減光される第２の二重減光状態となる。
【０１１３】
また、必要な光透過性がＮＤ８程度である場合には、制御装置は、第３のフィルタ駆動機構２２４により第３のフィルタ部材２１０を退避位置に移動させ、第１のフィルタ駆動機構２２０及び第２のフィルタ駆動機構２２２により第１のフィルタ部材２０４及び第２のフィルタ部材２１６を遮断位置に移動させる。これにより、光路を通る光が第１の光学フィルタ部２４２Ａ及び第２の光学フィルタ部３６２Ａにより減光される第３の二重減光状態となる。
【０１１４】
また、必要な光透過性がＮＤ２４程度である場合には、制御装置は、第１のフィルタ駆動機構２２０、第２のフィルタ駆動機構２２２及び第３のフィルタ駆動機構２２４により第１のフィルタ部材２０４、第２のフィルタ部材２１６及び第３のフィルタ部材２１０を遮断位置に移動させる。これにより、光路を通る光が第１の光学フィルタ部２４２Ａ、第２の光学フィルタ部３６２Ａ及び第３の光学フィルタ部３０２Ａにより減光される三重減光状態となる。
【０１１５】
以上説明したように、第２実施形態によれば以下の効果が奏される。
本実施形態によれば、第１〜第３のフィルタ部材２０４、２１６、２１０を移動させることにより、非減光状態と、第１〜第３の一重減光状態と、第１〜第３の二重減光状態と、三重減光状態をとることにより減光状態を切り替えており、３つのフィルタ部材２０４、２１６、２１０で、非減光状態以外に７つの減光状態を切り替えることができる。このため、本実施形態によれば、３つのフィルタ部材２０４、２１６、２１０で、光透過性を７段階で変更することが実現できるコンパクトなＮＤフィルタユニット２０１が実現できる。また、非減光状態と一重減光状態と二重減光状態と三重減光状態とを順不同に切り替えることができるため、非減光状態から三重減光状態へ、一重減光状態から非減光状態へ、など、ある段階の減光状態から任意の段階の減光状態に容易に切り替えることができる。このため、撮影に必要な減光状態への切替を素早く行うことができ、撮影に最適な減光状態を素早く実現することができる。
【０１１６】
また、本実施形態では、第１のフィルタ部材２０４に隣接するように第１のセパレータ２０６が配置され、第１のセパレータ２０６には、隣接する第１のフィルタ部材２０４の有する第１の光学フィルタ部２４２Ａが遮断位置と退避位置との間で移動する移動軌跡に対応する部分に第１の開口２６４が形成されている。また、第２のフィルタ部材２１６に隣接するように第４のセパレータ２１４が配置され、第４のセパレータ２１４には、隣接する第２のフィルタ部材２１６の有する第２の光学フィルタ部３６２Ａが遮断位置と退避位置との間で移動する移動軌跡に対応する部分に第４の開口３４４が形成されている。また、第３のフィルタ部材２１０に隣接するように第２のセパレータ２０８及び第３のセパレータ２１２が配置され、第２のセパレータ２０８及び第３のセパレータ２１２には、隣接する第３のフィルタ部材２１０の有する第３の光学フィルタ部３０２Ａが遮断位置と退避位置との間で移動する移動軌跡に対応する部分に開口２８４、３２４が形成されている。これにより、第１、第２及び第３のフィルタ部材２０４、２１６、２１０が遮断位置と退避位置との間で移動しても、第１、第２、及び第３の光学フィルタ部２４２Ａ、３６２Ａ、３０２Ａが傷つくのを防止できる。
【０１１７】
また、本実施形態では、隣接して配置される第１及び第３のフィルタ部材２０４、２１０の間に、第１のフィルタ部材２０４に隣接するように配置される第１のセパレータ２０６と、第３のフィルタ部材２１０に隣接するように配置される第２のセパレータ２０８とが配置され、第１のセパレータ２０６には第１のフィルタ部材２０４の有する第１の光学フィルタ部２４２Ａの移動軌跡に対応する部分に第１の開口２６４が形成され、第２のセパレータ２０８には、第３のフィルタ部材２１０の有する第３の光学フィルタ部３０２Ａの移動軌跡に対応する部分に第２の開口２８４が形成されている。これにより、第１及び第３のフィルタ部材２０４、２１０が遮断位置と退避位置との間で移動しても、第１及び第３の光学フィルタ部２４２Ａ、３０２Ａが傷つくのを防止できる。また、第１のフィルタ部材２０４と第３のフィルタ部材２１０とが同時に移動する場合でも、双方のフィルタ部材２０４、２１０の光学フィルタ部２４２Ａ、３０２Ａが擦れてたりして傷がつくことをより効果的に防止することができる。
また、隣接して配置される第２及び第３のフィルタ部材２１６、２１０の間に、第２のフィルタ部材２１６に隣接するように配置される第４のセパレータ２１４と、第３のフィルタ部材２１０に隣接するように配置される第３のセパレータ２１２とが配置され、第４のセパレータ２１４には第２のフィルタ部材２１６の有する第２の光学フィルタ部３６２Ａの移動軌跡に対応する部分に第４の開口３４４が形成され、第３のセパレータ２１２には、第３のフィルタ部材２１０の有する第３の光学フィルタ部３０２Ａの移動軌跡に対応する部分に第３の開口３２４が形成されている。これにより、第２及び第３のフィルタ部材２１６、２１０が遮断位置と退避位置との間で移動しても、第２及び第３の光学フィルタ部３６２Ａ、３０２Ａが傷つくのを防止できる。また、第２のフィルタ部材２１６と第３のフィルタ部材２１０とが同時に移動する場合でも、双方のフィルタ部材２１６、２１０の光学フィルタ部３６２Ａ、３０２Ａが擦れてたりして傷がつくことをより効果的に防止することができる。
【０１１８】
また、本実施形態では、第１のフィルタ部材２０４の突出部２４２Ｂが第１のセパレータ２０６に当接しており、第２のフィルタ部材２１６の突出部３６２Ｂが第４のセパレータ２１４に当接している。これにより、第１及び第２のフィルタ部材２０４、２１６が第１及び第４のセパレータ２０６、２１４の開口２６４、３４４に潜りこむことを防止でき、第１及び第２のフィルタ部材２０４、２１６の駆動をスムーズにすることができる。また、第３のフィルタ部材２１０の突出部３０２Ｂが第２のセパレータ２０８及び第３のセパレータ２１２に当接している。これにより、第３のフィルタ部材２１０が第２及び第３のセパレータ２０８、２１２の開口２８４、３２４に潜りこむことを防止でき、第３のフィルタ部材２１０の駆動をスムーズにすることができる。
【０１１９】
また、本実施形態では、第１の基板２０２には、隣接するように配置される第１のフィルタ部材２０４の移動に伴う突出部２４２Ｂの移動軌跡に沿って外側凸部２２４Ｃが形成されており、突出部２４２Ｂは外側凸部２２４Ｃに当接している。これにより、第１の光学フィルタ部２４２Ａが第１の基板２０２に擦れて傷つくことを防止できる。
【０１２０】
また、本実施形態では、第１の基板２０２及び第２の基板２１８にはそれぞれ、隣接するように配置される第１及び第２のフィルタ部材２０４、２１６の移動に伴う基部２４１、３６３の移動軌跡に沿って内側凸部２２４Ａ、２２４Ｂ、３８４Ａが形成されており、基部２４１、３６３は内側凸部２２４Ａ、２２４Ｂ、３８４Ａに当接している。これにより、第１及び第２の光学フィルタ部２４２Ａ、３６２Ａが第１及び第２の基板２０２、２１８に擦れて傷つくことを防止できる。
【０１２１】
また、本実施形態では、第１、第２及び第３のフィルタ部材２０４、２１６、２１０の第１、第２及び第３の光学フィルタ部２４２Ａ、３６２Ａ、３０２Ａの移動軌跡が、光軸に垂直な平面に投影した場合に、各々異なる。これにより、第１、第２及び第３のフィルタ部材２０４、２１６、２１０を駆動させるための第１、第２及び第３のフィルタ駆動機構２２０、２２２、２２４を効率よく配置でき、ＮＤフィルタユニット２０１を小型化することができる。
【０１２２】
また、本実施形態では、第１、第２及び第３のフィルタ駆動機構２２０、２２２、２２４は、第１、第２及び第３のフィルタ部材２０４、２１６、２１０を光軸に垂直な面内で移動させることにより第１、第２及び第３の光学フィルタ部２４２Ａ、３６２Ａ、３０２Ａを移動させている。このように、第１、第２及び第３のフィルタ部材２０４、２１６、２１０を個別に駆動することができるため、瞬時に減光状態を変更することができる。
【０１２３】
また、本実施形態では、第１、第２及び第３のフィルタ部材２０４、２１６、２１０のそれぞれは、全領域が樹脂製の板材から形成されている。このように、第１、第２及び第３のフィルタ部材２０４、２１６、２１０が枠材を有していないため、軽量に形成することができ、第１、第２及び第３のフィルタ部材２０４、２１６、２１０を駆動する第１、第２及び第３のフィルタ駆動機構２２０、２２２、２２４を小型化することができる。
【０１２４】
なお、本実施形態では、第１及び第３のフィルタ部材２０４、２１０の間に第１及び第２のセパレータ２０６、２０８を設けたが、一枚のセパレータを設けることも可能である。この場合には、セパレータには第１及び第３の光学フィルタ部２４２Ａ、３０２Ａの両方の移動軌跡に当たる位置に開口を設けるとよい。また、本実施形態では、第２及び第３のフィルタ部材２１６、２１０の間に第３及び第４のセパレータ２１２、２１４を設けたが、一枚のセパレータを設けることも可能である。この場合には、セパレータには第２及び第３の光学フィルタ部３６２Ａ、３０２Ａの両方の移動軌跡に当たる位置に開口を設けるとよい。
【０１２５】
また、本実施形態では、第１及び第２の基板２０２、２１８の両方に、内側凸部及び外側凸部の両方を設けているが、第１及び第２の基板の一方のみに設けてもよいし、内側凸部及び外側凸部の一方のみを設けてもよい。
【符号の説明】
【０１２６】
１          ＮＤフィルタユニット
２          第１の基板
２Ａ        周縁壁
４          第１のフィルタ部材
６          第１のセパレータ
８          第２のセパレータ
１０        第２のフィルタ部材
１２        第２の基板
１４        第１のフィルタ駆動機構
１６        第２のフィルタ駆動機構
１８        フレキシブルプリント基板
２０        中心開口部
２１Ａ      第１の丸孔
２１Ｂ      第２の丸孔
２２Ａ      第１の円弧状孔
２２Ｂ      第２の円弧状孔
２３Ａ      第１の軸柱
２３Ｂ      第２の軸柱
２４Ａ      第１の凸部
２４Ｂ      第２の凸部
２４Ｃ      第３の凸部
２５        補助リブ
２６        取付機構
２７        固定柱
４１        基部
４１Ａ      第１の円形孔
４１Ｂ      第１の長孔
４２        円形部
４２Ａ      第１の光学フィルタ部
６１Ａ      第１の円形孔
６１Ｂ      第１の円弧状孔
６３Ａ      第２の円形孔
６３Ｂ      第２の円弧状孔
６４        第１の開口
８１Ａ      第１の円形孔
８１Ｂ      第１の円弧状孔
８３Ａ      第２の円形孔
８３Ｂ      第２の円弧状孔
８４        第２の開口
１０２      円形部
１０２Ａ    第２の光学フィルタ部
１０３      基部
１０３Ａ    第２の円形孔
１０３Ｂ    第２の長孔
１２０      中心開口部
１２１Ａ    第１の円形孔
１２１Ｂ    第１の円弧状孔
１２３Ａ    第２の円形孔
１２３Ｂ    第２の円弧状孔
１２４Ａ    第１の凸部
１２４Ｂ    第２の凸部
１２４Ｃ    第３の凸部
１２５      補助リブ
１２６      取付機構
１２７      固定用開口
１４０      第１のヨーク
１４０Ａ    先端部
１４１      第１のコイル
１４２      第１の回転マグネット部材
１４２Ａ    第１の軸部
１４２Ｂ    第１の腕部
１４２Ｃ    第１の操作柱
１４２Ｄ    第１の磁石
１４３      第１のカバー部材
１４３Ａ    固定部
１４３Ｂ    第１の丸孔
１６０      第２のヨーク
１６０Ａ    先端部
１６１      第２のコイル
１６２      第２の回転マグネット部材
１６２Ａ    第２の軸部
１６２Ｂ    第２の腕部
１６２Ｃ    第２の操作柱
１６２Ｄ    第２の磁石
１６３      第２のカバー部材
１６３Ａ    固定部
１６３Ｂ    第２の丸孔
１８０      一端部
１８１      第１の枝部
１８２      第２の枝部
２０１      ＮＤフィルタユニット
２０２      第１の基板
２０２Ａ    周縁壁
２０４      第１のフィルタ部材
２０６      第１のセパレータ
２０８      第２のセパレータ
２１０      第３のフィルタ部材
２１２      第３のセパレータ
２１４      第４のセパレータ
２１６      第２のフィルタ部材
２１８      第２の基板
２２０      第１のフィルタ駆動機構
２２１Ａ    第１の丸孔
２２１Ｂ    第２の丸孔
２２１Ｃ    第３の丸孔
２２２      第２のフィルタ駆動機構
２２２Ａ    第１の円弧状孔
２２２Ｂ    第２の円弧状孔
２２２Ｃ    第３の円弧状孔
２２３      中心開口部
２２３Ａ    第１の軸柱
２２３Ｂ    第２の軸柱
２２３Ｃ    第３の軸柱
２２４      第３のフィルタ駆動機構
２２４Ａ    第１の凸部
２２４Ｂ    第２の凸部
２２４Ｃ    第３の凸部
２２５      補助リブ
２２５Ｂ    第３の軸柱
２２６      取付機構
２２７      固定柱
２４１      基部
２４１Ａ    第１の円形孔
２４１Ｂ    第１の長孔
２４２      円形部
２４２Ａ    第１の光学フィルタ部
２６１Ａ    第１の円形孔
２６１Ｂ    第１の円弧状孔
２６３Ａ    第２の円形孔
２６３Ｂ    第２の円弧状孔
２６４      第１の開口
２６５Ａ    第３の円形孔
２６５Ｂ    第３の円弧状孔
２８１Ａ    第１の円形孔
２８１Ｂ    第１の円弧状孔
２８３Ａ    第２の円形孔
２８３Ｂ    第２の円弧状孔
２８４      第２の開口
２８５Ａ    第３の円形孔
２８５Ｂ    第３の円弧状孔
３０２      円形部
３０２Ａ    第３の光学フィルタ部
３０５      基部
３０５Ａ    第３の円形孔
３０５Ｂ    第３の長孔
３１８      第２の基板
３２１Ａ    第１の円形孔
３２１Ｂ    第１の円弧状孔
３２３Ａ    第２の円形孔
３２３Ｂ    第２の円弧状孔
３２４      第３の開口
３２５Ａ    第３の円形孔
３２５Ｂ    第３の円弧状孔
３４１Ａ    第１の円形孔
３４１Ｂ    第１の円弧状孔
３４３Ａ    第２の円形孔
３４３Ｂ    第２の円弧状孔
３４４      第４の開口
３４５Ａ    第３の円形孔
３４５Ｂ    第３の円弧状孔
３６２      円形部
３６２Ａ    第２の光学フィルタ部
３６３      基部
３６３Ａ    第２の円形孔
３６３Ｂ    第２の長孔
３８０      中心開口部
３８１Ａ    第１の円形孔
３８１Ｂ    第１の円弧状孔
３８３Ａ    第２の円形孔
３８３Ｂ    第２の円弧状孔
３８４Ａ    凸部
３８５      補助リブ
３８５Ａ    第３の円形孔
３８５Ｂ    第３の円弧状孔
３８６      取付機構
３８７      固定用開口
４００      第１のヨーク
４００Ａ    先端部
４０１      第１のコイル
４０２      第１の回転マグネット部材
４０２Ａ    第１の軸部
４０２Ｂ    第１の腕部
４０２Ｃ    第１の操作柱
４０２Ｄ    第１の磁石
４０３      第１のカバー部材
４０３Ａ    固定部
４０３Ｂ    第１の丸孔
４２０      第２のヨーク
４２０Ａ    先端部
４２１      第２のコイル
４２２      第２の回転マグネット部材
４２２Ａ    第２の軸部
４２２Ｂ    第２の腕部
４２２Ｃ    第２の操作柱
４２２Ｄ    第２の磁石
４２３      第２のカバー部材
４２３Ａ    固定部
４２３Ｂ    第２の丸孔
４４０      第３のヨーク
４４０Ａ    先端部
４４１      第３のコイル
４４２      第３の回転マグネット部材
４４２Ａ    第３の軸部
４４２Ｂ    第３の腕部
４４２Ｃ    第３の操作柱
４４２Ｄ    第３の磁石
４４３      第３のカバー部材
４４３Ａ    固定部
４４３Ｂ    第３の丸孔
【図１】
2020134802.tif 000003
【図２】
2020134802.tif 000004
【図３】
2020134802.tif 000005
【図４】
2020134802.tif 000006
【図５】
2020134802.tif 000007
【図６】
2020134802.tif 000008
【図７】
2020134802.tif 000009
【図８】
2020134802.tif 000010
【図９】
2020134802.tif 000011
【図１０】
2020134802.tif 000012
【図１１】
2020134802.tif 000013
【図１２】
2020134802.tif 000014
【図１３】
2020134802.tif 000015
【図１４】
2020134802.tif 000016